(57)【要約】【課題】電荷の作用により画像の書き込みや消去が可能な媒体本体を挟むように媒体本体の両面に形成される下部電極及び上部電極の少なくともいずれか一方を媒体本体と離間させた記録媒体を用い、下部電極又は上部電極に電子やイオンを照射して電荷を注入し、注入された電荷の作用により、媒体本体と電荷が注入された下部電極又は上部電極との間で選択的に放電を発生させ、下部電極又は上部電極に選択的に注入された電荷が、隣接する電荷が注入されていない下部電極や上部電極に作用することがなく、クロストークの発生を確実に防止でき、滲みのない高品質な画像を形成できる画像形成方法の提供。【解決手段】下部電極又は上部電極の少なくともいずれか一方に電子やイオンを照射して電荷を注入する電荷注入工程を備えている。【選択図】図１
2008165075.tif 000002
【特許請求の範囲】
【請求項１】
媒体本体の下面及び上面にそれぞれ所定のパターンで形成された下部電極及び上部電極と、前記下部電極又は前記上部電極の少なくともいずれか一方と，前記媒体本体と，の間に配設され前記媒体本体と前記下部電極又は前記上部電極とを離間させたスペーサと、を備えた記録媒体に画像を形成する画像形成方法であって、前記下部電極又は前記上部電極の少なくともいずれか一方に電子やイオンを照射して電荷を注入する電荷注入工程を有することを特徴とする画像形成方法。
【請求項２】
前記下部電極又は前記上部電極に電子やイオンを照射して電荷を注入する前記電荷注入工程と、前記上部電極又は前記下部電極への接地若しくは前記上部電極又は前記下部電極に前記電荷注入工程で前記下部電極又は前記上部電極に注入された電荷と逆極性の電圧印加を行う媒体側電圧制御工程と、を有することを特徴とする請求項１に記載の画像形成方法。
【請求項３】
前記電荷注入工程において、前記下部電極及び前記上部電極にそれぞれ逆極性の電荷を注入することを特徴とする請求項１に記載の画像形成方法。
【請求項４】
前記電荷注入工程が、電子放出部位を有する放電電極と前記放電電極を選択的に加熱する加熱手段とを備えた加熱放電型印字ヘッドにより行われることを特徴とする請求項１乃至３の内いずれか１項に記載の画像形成方法。
【請求項５】
前記電荷注入工程が、前記加熱放電型印字ヘッドの前記放電電極に放電制御電圧を印加する放電制御電圧印加工程と、前記加熱手段により前記放電電極の前記電子放出部位を選択的に加熱する放電電極加熱工程と、を有することを特徴とする請求項４に記載の画像形成方法。
【請求項６】
前記放電電極加熱工程と前記媒体側電圧制御工程が、同期して行われることを特徴とする請求項５に記載の画像形成方法。
【請求項７】
前記加熱放電型印字ヘッドが前記下部電極及び前記上部電極とそれぞれ対向配置され、前記放電制御電圧印加工程において、前記下部電極に対向配置された前記加熱放電型印字ヘッドの前記放電電極に印加される前記放電制御電圧と、前記上部電極に対向配置された前記加熱放電型印字ヘッドの前記放電電極に印加される前記放電制御電圧が、互いに逆極性の電荷を発生させる電圧であることを特徴とする請求項５に記載の画像形成方法。
【請求項８】
前記放電電極加熱工程が、前記下部電極に対向配置された前記加熱放電型印字ヘッドと前記上部電極に対向配置された前記加熱放電型印字ヘッドの間で同期して行われることを特徴とする請求項７に記載の画像形成方法。
【請求項９】
前記電荷注入工程が、前記媒体本体の画像表示領域外の領域で前記下部電極又は前記上部電極に形成された電荷注入部に対して行われることを特徴とする請求項１乃至８の内いずれか１項に記載の画像形成方法。
【請求項１０】
前記電荷注入工程が、前記媒体本体の画像表示領域外の領域で前記下部電極又は前記上部電極の少なくともいずれか一方に形成された電荷注入部に対向して配置され、前記記録媒体に一体に形成された放電電極により行われることを特徴とする請求項１乃至３の内いずれか１項に記載の画像形成方法。
【請求項１１】
前記電荷注入工程が、前記媒体本体の前記放電電極に放電制御電圧を印加する放電制御電圧印加工程と、加熱手段により前記放電電極の前記下部電極又は前記上部電極に対応する電子放出部位を選択的に加熱する放電電極加熱工程と、を有することを特徴とする請求項１０に記載の画像形成方法。
【請求項１２】
前記放電電極加熱工程と前記媒体側電圧制御工程が、同期して行われることを特徴とする請求項１１に記載の画像形成方法。
【請求項１３】
前記放電電極が前記下部電極及び前記上部電極に接続された電荷注入部とそれぞれ対向配置され、前記放電制御電圧印加工程で前記下部電極に接続された前記電荷注入部と対向配置された前記放電電極に印加される前記放電制御電圧と、前記上部電極に接続された前記電荷注入部と対向配置された前記放電電極に印加される前記放電制御電圧が、互いに逆極性の電荷を発生させる電圧であることを特徴とする請求項１１に記載の画像形成方法。
【請求項１４】
前記放電電極加熱工程が、前記下部電極に接続された前記電荷注入部と対向配置された前記放電電極と前記上部電極に接続された前記電荷注入部と対向配置された前記放電電極の間で同期して行われることを特徴とする請求項１３に記載の画像形成方法。
【請求項１５】
前記放電電極加熱工程に用いる加熱手段が、前記放電電極と絶縁されて前記電子放出部位に対応して配設され前記記録媒体に一体に形成された放電電極加熱部であることを特徴とする請求項１１乃至１４の内いずれか１項に記載の画像形成方法。
【請求項１６】
前記放電電極加熱工程に用いる加熱手段が、前記放電電極に対向して配置された外部加熱手段であることを特徴とする請求項１１乃至１４の内いずれか１項に記載の画像形成方法。
【請求項１７】
前記電荷注入工程により注入する電荷の極性を切り替える電荷切り替え工程を有することを特徴とする請求項１乃至１６の内いずれか１項に記載の画像形成方法。
【請求項１８】
画像の１ライン中に印字する画素数に応じて前記電荷注入工程により注入する電荷の量を変化させることを特徴とする請求項１乃至１７の内いずれか１項に記載の画像形成方法。
【請求項１９】
画像データの濃度に応じて前記電荷注入工程により注入する電荷の量を変化させることを特徴とする請求項１乃至１７の内いずれか１項に記載の画像形成方法。
【請求項２０】
前記記録媒体の画像を消去する初期化工程を有することを特徴とする請求項１乃至１９の内いずれか１項に記載の画像形成方法。
【請求項２１】
請求項２に記載の画像形成方法に用いる画像形成装置であって、前記記録媒体の前記下部電極又は前記上部電極と対向配置され前記下部電極又は前記上部電極に電子やイオンを照射して電荷を注入する印字ヘッドと、前記上部電極又は前記下部電極への接地又は前記印字ヘッドから注入される電荷と逆極性の電圧印加を行う媒体側電圧制御部と、を備えたことを特徴とする画像形成装置。
【請求項２２】
請求項３に記載の画像形成方法に用いる画像形成装置であって、前記記録媒体の前記下部電極及び前記上部電極とそれぞれ対向配置され前記下部電極及び前記上部電極に互いに逆極性の電荷を注入する印字ヘッドを備えたことを特徴とする画像形成装置。
【請求項２３】
前記印字ヘッドが、電子放出部位を有する放電電極と、前記放電電極の前記電子放出部位を選択的に加熱する加熱手段と、を備えた加熱放電型印字ヘッドであることを特徴とする請求項２１又は２２に記載の画像形成装置。
【請求項２４】
前記印字ヘッドが、前記媒体本体の画像表示領域外の領域で前記下部電極又は前記上部電極に形成された電荷注入部と対向配置されていることを特徴とする請求項２１乃至２３の内いずれか１項に記載の画像形成装置。
【請求項２５】
請求項１５に記載の画像形成方法に用いる画像形成装置であって、前記記録媒体の前記下部電極又は前記上部電極に接続された電荷注入部に対向配置された前記放電電極に放電制御電圧を印加する放電制御電圧印加部と、前記放電電極に配設された前記放電電極加熱部を駆動する加熱部駆動部と、前記上部電極又は前記下部電極への接地又は前記放電電極から注入される電荷と逆極性の電圧印加を行う媒体側電圧制御部と、を備えたことを特徴とする画像形成装置。
【請求項２６】
請求項１５に記載の画像形成方法に用いる画像形成装置であって、前記記録媒体の前記下部電極に接続された前記電荷注入部と対向配置された前記放電電極及び前記上部電極に接続された前記電荷注入部と対向配置された前記放電電極に互いに逆極性の電荷を発生させる放電制御電圧を印加する放電制御電圧印加部と、それぞれの前記放電電極に配設された前記放電電極加熱部を駆動する加熱部駆動部と、を備えたことを特徴とする画像形成装置。
【請求項２７】
請求項１６に記載の画像形成方法に用いる画像形成装置であって、前記記録媒体の前記下部電極又は前記上部電極に接続された電荷注入部に対向配置された前記放電電極に放電制御電圧を印加する放電制御電圧印加部と、前記放電電極の前記電子放出部位を選択的に加熱する外部加熱手段と、前記上部電極又は前記下部電極への接地又は前記放電電極から注入される電荷と逆極性の電圧印加を行う媒体側電圧制御部と、を備えたことを特徴とする画像形成装置。
【請求項２８】
請求項１６に記載の画像形成方法に用いる画像形成装置であって、前記記録媒体の前記下部電極に接続された前記電荷注入部と対向配置された前記放電電極及び前記上部電極に接続された前記電荷注入部と対向配置された前記放電電極に互いに逆極性の電荷を発生させる放電制御電圧を印加する放電制御電圧印加部と、それぞれの前記放電電極の前記電子放出部位を選択的に加熱する外部加熱手段と、を備えたことを特徴とする画像形成装置。
【請求項２９】
前記媒体側電圧制御部が、前記上部電極又は前記下部電極に接触する媒体側電圧印加部と、前記媒体側電圧印加部を走査して前記上部電極又は前記下部電極に順次、電圧印加を行う走査部と、を備えたことを特徴とする請求項２１，２５，２７の内いずれか１項に記載の画像形成装置。
【請求項３０】
請求項２０に記載の画像形成方法に用いる画像形成装置であって、前記記録媒体の前記下部電極又は前記上部電極の少なくともいずれか一方に一様に電荷を注入して画像を消去する初期化用ヘッドを備えたことを特徴とする画像形成装置。
【発明の詳細な説明】
【技術分野】
【０００１】
本発明は、電荷の作用により画像の書き込みや消去が可能な記録媒体に電子やイオンを照射して電荷を注入することにより、画像の書き込みや消去を行う画像形成方法及びそれに用いる画像形成装置に関する。
【背景技術】
【０００２】
一般的にデジタルペーパと称される記録媒体として、微小なボールを二色（例えば白黒）に色分けし、各色毎の電気特性の違いによりボールを回転して任意の一色を表示するツイストボール方式、微小なボール中に二色（例えば白黒）の微粉末を混入し、各色の微粉末が持つ電気特性の違いにより一色のみを浮上させて表示する電気泳動方式、液晶板あるいは微小な液晶ブロックの液晶シャッターを開閉して、シャッターを開けた部分の背景色を表示する液晶方式等が開発されている。
また、これらの記録媒体には、表面に電子やイオンを照射して電荷を付与することにより非接触で静電潜像を形成できるので、様々なイオンフロー方式の印字ヘッドを用いた画像形成方法及び画像形成装置についても検討がなされている。
【０００３】
例えば、（特許文献１）には、「可視情報を繰り返し記録及び消去可能な可逆表示素子を有する可逆記録表示媒体と、可逆記録表示媒体に可視情報を記録する記録手段と、記録された可視情報を消去する消去手段とを備えた書換装置において、前記記録手段は、可逆記録表示媒体に静電荷像を形成する手段からなることを特徴とする可逆記録表示媒体の書換装置」が開示されている。
しかしながら、（特許文献１）の書換装置は、静電荷像を形成する手段としてコロナ放電等によるイオン流を制御して媒体に照射するものや、マルチスタイラスによる書き込み、マスクとコロトロンとの組合せによる方法等を用いているが、高画質化、カラー化を図るためには、記録媒体との位置合わせやイオン照射のタイミング等の制御に高い精度が要求され、高画質化、カラー化が困難であるという課題を有していた。また、記録媒体の表面にイオンを照射して静電荷像を形成しているため、静電気等の外乱によって画像の乱れが発生し易く、画像品質の信頼性に欠けるという課題を有していた。
【０００４】
次に、（特許文献２）には、「表示媒体と書き込み装置は少なくとも書き込み時には近接させられるように着脱が可能であり、しかも該書き込み装置は画像信号に応じて該表示媒体に電荷を付与させることができ、かつ該表示媒体との平面位置関係を相対的に変えうる機構を有するイオン銃アレイを具備していることを特徴とする書き込み装置」が開示されている。
しかしながら、（特許文献２）の書き込み装置は、イオン銃アレイと表示媒体との平面位置関係を相対的に変えながら、画像信号に応じて該表示媒体に電荷を付与させるものであるため、（特許文献１）と同様に高画質化、カラー化を図るためには、初期状態でのイオン銃アレイと表示媒体との位置合わせやイオン照射のタイミング等の制御に高い精度が要求され、高画質化、カラー化が困難であるという課題を有していた。
また、（特許文献１）、（特許文献２）の装置では、媒体とヘッドを相対的に移動させながら所望の位置に画像を書き込む必要があるため、駆動装置が複雑で取り扱い性に欠けるという課題を有していた。また、媒体とヘッドを相対的に移動させるため、ヘッドの汚れや媒体の傷或いは汚れが発生し易く、画像品質の信頼性に欠けるという課題を有していた。
さらに、記録媒体自体にＴＦＴ回路や制御用ＩＣ等を搭載したものも開発されてきているが、コストが高く量産性、信頼性に欠けると共に、サイズが大型化し、取り扱い性に欠けるという課題を有していた。
【０００５】
そこで、本願出願人はこれらの課題を解決するために、鋭意、検討を行い（特許文献３）を出願した。
（特許文献３）には、「媒体本体の下面及び上面にそれぞれ所定のパターンで形成された下部電極及び上部電極を備えた記録媒体に画像を形成する画像形成方法であって、前記下部電極又は前記上部電極の少なくともいずれか一方に電子やイオンを照射して電荷を注入する電荷注入工程を有することを特徴とする画像形成方法。」が開示されている。
（特許文献３）は、電荷の作用により画像の書き込みや消去が可能な媒体本体を挟むように媒体本体の両面に電極を形成した記録媒体を用い、電子やイオンを照射して電荷を注入することにより、媒体本体の両面に形成された電極の任意の交差位置で選択的に電位差を生じさせ、画像の書き込みや消去を行うことができるので、電子やイオンの照射位置の位置合わせが不要で、位置ずれのない高品質な画像を形成することができ、カラー化が容易な画像品質の信頼性に優れた画像形成方法及びそれに用いる画像形成装置である。
【特許文献１】特開２０００−８５１７５号公報
【特許文献２】特開２０００−２３１１２６号公報
【特許文献３】ＰＣＴ／ＪＰ２００６／３１００１４号
【発明の開示】
【発明が解決しようとする課題】
【０００６】
（特許文献３）の画像形成方法においては、例えば、下部電極及び上部電極をそれぞれ短冊状に分割して形成し、媒体本体の両面に互いに直交するように配置した記録媒体を用いた場合、下部電極と上部電極が交差する位置で、媒体本体に電荷を作用させることができ、任意の画像を表示させることができる。つまり、記録媒体の下部電極及び上部電極をそれぞれ短冊状に分割して形成することにより、任意の下部電極及び上部電極に選択的に電荷を注入してマトリックス駆動を行うものである。
しかしながら、この記録媒体では媒体本体と下部電極及び上部電極が接触しているため、１つの下部電極或いは上部電極に選択的に電荷を注入した場合でも、その電荷が、隣接する下部電極或いは上部電極にも影響を及ぼし、クロストークが発生して画像が滲み、画像品質が低下してしまうという課題を有していた。
このようなクロストークの問題は、（特許文献３）の記録媒体に限らず、媒体本体に形成した下部電極と上部電極によってマトリックス駆動を行うものにおいて、共通の重大な課題であり、その改善が望まれていた。
【０００７】
本発明は上記課題を解決するもので、電荷の作用により画像の書き込みや消去が可能な媒体本体を挟むように媒体本体の両面に形成される下部電極及び上部電極の少なくともいずれか一方を媒体本体と離間させた記録媒体を用い、下部電極又は上部電極に電子やイオンを照射して電荷を注入することにより、注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができる画像形成方法及びそれに用いる画像形成装置の提供を目的とする。
【課題を解決するための手段】
【０００８】
上記課題を解決するために本発明の画像形成方法及びそれに用いる画像形成装置は、以下の構成を有している。
本発明の請求項１に記載の画像形成方法は、媒体本体の下面及び上面にそれぞれ所定のパターンで形成された下部電極及び上部電極と、前記下部電極又は前記上部電極の少なくともいずれか一方と，前記媒体本体と，の間に配設され前記媒体本体と前記下部電極又は前記上部電極とを離間させたスペーサと、を備えた記録媒体に画像を形成する画像形成方法であって、前記下部電極又は前記上部電極の少なくともいずれか一方に電子やイオンを照射して電荷を注入する電荷注入工程を備えた構成を有している。
この構成により、以下のような作用を有する。
（１）媒体本体の下面及び上面にそれぞれ所定のパターンで下部電極及び上部電極が形成された記録媒体に対し、電荷注入工程において、下部電極又は上部電極の少なくともいずれか一方に電子やイオンを照射して電荷を注入することにより、画像の書き込みや消去を行うことができ、電荷を注入するための印字ヘッドなどの位置決めや走査等が不要で画像形成の工程及び画像形成装置の機構を簡素化することができ画像形成の作業性に優れる。
（２）電荷を注入するための印字ヘッドなどと記録媒体を相対的に移動させる必要がないので、印字ヘッドの汚れや記録媒体の傷或いは汚れが発生し難く、画像品質の信頼性、記録媒体の耐久性を向上させることができる。
（３）記録媒体が下部電極又は上部電極の少なくともいずれか一方と、媒体本体と、の間に配設され媒体本体と下部電極又は上部電極とを離間させたスペーサを備えているので、下部電極又は上部電極に注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができ、画像品質の信頼性に優れる。
【０００９】
ここで、この画像形成方法に用いる記録媒体の媒体本体は、電荷の作用により画像が形成されるものであればよい。媒体本体に、透過型のネマティック液晶やスメクティック液晶等の液晶材料を用いた液晶方式或いは白色又は黒色を選択的に表示可能なツイストボール方式，電気泳動方式，粉体移動方式等の画像表示材料が封入されたものが好適に用いられる。
これらの媒体本体に、加法混色法における三原色（Ｒ，Ｇ，Ｂ）を持つカラーフィルタや減法混色法における三原色（Ｙ，Ｍ，Ｃ）を持つカラー反射層を組み合わせることによりカラー表示を行うことができる。また、カラーフィルタ等を組み合わせる代わりに、減法混色法における三原色（Ｙ，Ｍ，Ｃ）等に着色したツイストボールや微粒子等の画像表示材料を表示原色の色毎に配列してカラー表示を行うこともできる。また、１枚の媒体本体を複数の領域に分割し、領域毎に異なる色を表示するようにしてもよい。
【００１０】
下部電極及び上部電極のパターンは、表示する画像の種類に応じて適宜、選択することができる。表示する画像が、予め決められた文字や数字などの場合は、下部電極又は上部電極のいずれか一方を文字や数字を構成するセグメント単位に分割して形成し、他方は画像表示領域に共通の平板電極とすればよい。また、下部電極及び上部電極をそれぞれ短冊状に分割して形成し、媒体本体の両面に互いに直交するように配置した場合、下部電極と上部電極が交差する位置を選択して任意の画像を表示させることができる。
【００１１】
スペーサは、媒体本体と下部電極或いは上部電極との間の隙間を略一定に保って下部電極或いは上部電極を保持することができるものであればよく、フォトレジスト等により形成することができる。スペーサは媒体本体と下部電極或いは上部電極の間を各画素に対応するマトリックス状の放電空間に分割するように配置してもよいし、複数の画素を行単位又は列単位の放電空間に分割するように配置してもよい。尚、媒体本体と下部電極或いは上部電極との間の隙間は１０μｍ〜２００μｍが好ましい。隙間が１０μｍより狭くなるにつれ、放電空間を確保することができず、クロストークの改善効果が低下し易くなる傾向があり、２００μｍより広くなるにつれ、放電の発生効率が低下し、下部電極或いは上部電極に注入する電荷量を増大させる必要があり、省エネルギー性が低下し易くなる傾向があり、いずれも好ましくない。
【００１２】
下部電極及び上部電極の外表面に電極保護層が形成されている場合、下部電極及び上部電極を保護することができ、隣接する電極が導通することを防止できる。
電極保護層の材質としては、ガラス、アラミド、ポリイミド、ＰＥＴ、ポリアミド等の合成樹脂等が好適に用いられる。それらの板材やシートに先に下部電極や上部電極をスクリーン印刷、蒸着、スパッタ、エッチング等により形成した後、媒体本体を両側から挟むか、下層から順次積層してこの記録媒体を形成することができる。
尚、電極保護層が、１０12Ω・ｃｍ〜１０14Ω・ｃｍの抵抗値を有する場合には、電極保護層で覆われた下部電極や上部電極にも電荷を注入することができる。
下部電極又は上部電極のいずれか一方の配置に対応させて、カラーフィルタやカラー反射層若しくは着色されたツイストボールや微粒子の表示原色が縞状に配置された記録媒体を用いた場合、色ずれのない高品質なカラー画像を得ることができる。
【００１３】
尚、この記録媒体に画像を形成するための印字ヘッドは、選択的に電子又はイオンを照射することができるものであればよく、ワイヤ電極や針電極等に高電圧を印加してコロナ放電を発生させるもの、電極を加熱して熱電子を放出させるもの、電極に印加する電圧と電極の温度を制御して電子やイオンを照射する加熱放電型印字ヘッド（例えば特開２００３−３２６７５６号やＷＯ２００５／０５６２９７）等を用いることができる。
また、ＳＥＤ（表面電界ディスプレイ）に使用される電子放出デバイスや、ＦＥＤ（電界放出型ディスプレイ）に使用される電子放出デバイス、電子放出部にカーボンナノチューブを使用したカーボンナノチューブＦＥＤも用いることができる。これらの場合、アノード電極の電圧が高ければ、真空中でなくとも放出された電子及びイオン化された物質により電荷を注入できる。このとき、電荷を注入された電極がアノード電極として働くが、アノード電圧は媒体本体を介して反対側の面に形成された電極に印加される。
【００１４】
請求項２に記載の発明は、請求項１に記載の画像形成方法であって、前記下部電極又は前記上部電極に電子やイオンを照射して電荷を注入する前記電荷注入工程と、前記上部電極又は前記下部電極への接地若しくは前記上部電極又は前記下部電極に前記電荷注入工程で前記下部電極又は前記上部電極に注入された電荷と逆極性の電圧印加を行う媒体側電圧制御工程と、を備えた構成を有している。
この構成により、請求項１の作用に加え、以下のような作用を有する。
（１）媒体本体の両面に予め所定のパターンで形成された下部電極と上部電極が配設されているので、電荷注入工程により下部電極又は上部電極の一方に電荷を注入し、媒体側電圧制御工程により上部電極又は下部電極への接地若しくは上部電極又は下部電極に電荷注入工程で下部電極又は上部電極に注入された電荷と逆極性の電圧印加を行うことにより、下部電極と上部電極が交差する位置で確実に媒体本体の表裏に電位差を発生させて画像を形成することができ、画像の位置ずれが発生することがなく、画像品質の信頼性に優れる。
（２）電荷注入工程及び媒体側電圧制御工程で媒体本体の両面にそれぞれ注入及び印加された電荷が溜まった状態で保持されるので、画像形成後は無電源で画像を表示することができ省エネルギー性に優れると共に、静電気等の影響によって画像が乱れることを防止でき画像品質の安定性に優れる。
【００１５】
請求項３に記載の発明は、請求項１に記載の画像形成方法であって、前記電荷注入工程において、前記下部電極及び前記上部電極にそれぞれ逆極性の電荷を注入する構成を有している。
この構成により、請求項１の作用に加え、以下のような作用を有する。
（１）電荷注入工程において、下部電極及び上部電極にそれぞれ逆極性の電荷を注入することにより、下部電極と上部電極が交差する位置で確実に媒体本体の表裏に大きな電位差を発生させることができ、高品質な画像を形成することができる。
（２）電荷注入工程で媒体本体の表裏にそれぞれ注入された電荷が溜まった状態で保持されるので、画像形成後は無電源で画像を表示することができ省エネルギー性に優れると共に、静電気等の影響によって画像が乱れることを防止でき画像品質の安定性に優れる。
【００１６】
ここで、請求項１で説明した各種の電子放出デバイスを含む印字ヘッドを記録媒体の表裏にそれぞれ配置することにより、下部電極及び上部電極にそれぞれ逆極性の電荷を注入することができる。尚、下部電極及び上部電極のそれぞれに対向配置する印字ヘッドは、同じものでもよいし、異なるものでもよい。
【００１７】
請求項４に記載の発明は、請求項１乃至３の内いずれか１項に記載の画像形成方法であって、前記電荷注入工程が、電子放出部位を有する放電電極と前記放電電極を選択的に加熱する加熱手段とを備えた加熱放電型印字ヘッドにより行われる構成を有している。
この構成により、請求項１乃至３の内いずれか１項の作用に加え、以下のような作用を有する。
（１）電荷注入工程が、電子放出部位を有する放電電極と放電電極を選択的に加熱する加熱手段とを備えた加熱放電型印字ヘッドにより行われることにより、放電電極の電子放出部位から放出される電子や電子の放出に伴って発生する大量のイオンを照射して選択的に電荷を注入することができ、画像形成の効率性に優れる。
（２）電荷注入工程に用いる加熱放電型印字ヘッドは、放電電極への選択的加熱で放電を行わせる方式であるため、加熱の制御に５Ｖ駆動のような低耐電圧対応のドライバＩＣを使用することができ、放電の制御が容易で、記録媒体に非接触で電子やイオンを照射して電荷を注入することができるので、記録媒体の傷或いは汚れが発生し難く、画像品質の信頼性、記録媒体の耐久性を向上させることができる。
【００１８】
ここで、加熱放電型印字ヘッド（例えば特開２００３−３２６７５６号やＷＯ２００５／０５６２９７）は、放電電極に放電制御電圧を印加すると共に、加熱手段で放電電極の選択的な加熱を行うことにより放電の発生を制御できるので、加熱手段による加熱箇所を選択することで容易に放電電極の任意の電子放出部位（加熱位置近傍）から選択的に電子を放出させて放電を発生させることができる。
尚、放電電極を加熱する加熱手段としては、放電電極の任意の電子放出部位を選択的に加熱できるものであればよく、放電電極に密着して加熱するものでもよいし、放電電極から離間して加熱するものでもよい。
放電電極と密着させて加熱する加熱手段としては、従来の感熱式のファクシミリに使用されるサーマルプリントヘッドと同様の構成を好適に用いることができる。具体的には、発熱抵抗体と電気的に接続されたドライバＩＣで発熱抵抗体の発熱を制御するものである。
放電電極と離間して加熱する加熱手段としては、レーザ光を照射する方式や赤外線を照射する方式等を好適に用いることができる。レーザ光を照射する方式としては、レーザ照射部とポリゴンミラーやガルバノミラーを組合せたもの、レーザ照射部をシリアル走査させるもの等が好適に用いられる。また、レーザ光や赤外線を光ファイバーや集光レンズで集光して放電電極に照射してもよい。特に多本数の光ファイバーを高密度かつ高精度に配列した光ファイバーアレイを用いた場合、同時に複数の電子放出部位に対し、レーザ光や赤外線を選択的に照射することができ、高速記録が可能である。
【００１９】
放電制御電圧とは、その電位差だけでは放電電極と下部電極又は上部電極との間で放電は起こらないが、放電電極を加熱することにより放電が起こる電圧域を言う。また、ここでの放電とは放電電極から電子が放出されることを言う。放電電極と下部電極又は上部電極が離間して形成された放電空間が、大気等のイオン生成可能な雰囲気である場合には、放出された電子が酸素や窒素をイオン化し、それらを媒体本体の下部電極又は上部電極に到達させることができ、多量のイオンで効率的に電荷を注入することができる。
放電電極に印加する放電制御電圧としては様々な波形を選択することができ、三角波、矩形波、台形波、ｓｉｎ波等を単独で或いは組合せて用いたり、さらにこれらに直流電圧や交流電圧を重畳したりできる。例えば、電荷注入工程において、放電電極に交流電圧のみを印加すると正負のイオンが生成される。そこで、負のイオンのみを選別するには交流電圧に負の直流電圧を重畳し、正のイオンのみを選別するには交流電圧に正の直流電圧を重畳したものを放電電極に印加する。
【００２０】
請求項５に記載の発明は、請求項４に記載の画像形成方法であって、前記電荷注入工程が、前記加熱放電型印字ヘッドの前記放電電極に放電制御電圧を印加する放電制御電圧印加工程と、前記加熱手段により前記放電電極の前記電子放出部位を選択的に加熱する放電電極加熱工程と、を備えた構成を有している。
この構成により、請求項４の作用に加え、以下のような作用を有する。
（１）電荷注入工程が、加熱放電型印字ヘッドの放電電極に放電制御電圧を印加する放電制御電圧印加工程と、加熱手段により放電電極の電子放出部位を選択的に加熱する放電電極加熱工程を有するので、放電制御電圧印加工程において放電電極に放電制御電圧を印加した状態で放電に備えることができ、高電圧となる放電制御電圧を制御する必要がなく、
放電電極加熱工程で放電電極の電子放出部位を選択的に加熱するだけで放電を発生させることができ、放電電極から下部電極又は上部電極に対して電子やイオンを照射して簡便かつ確実に電荷を注入することができる。
【００２１】
請求項６に記載の発明は、請求項５に記載の画像形成方法であって、前記放電電極加熱工程と前記媒体側電圧制御工程が、同期して行われる構成を有している。
この構成により、請求項５の作用に加え、以下のような作用を有する。
（１）放電電極加熱工程と媒体側電圧制御工程が同期して行われることにより、下部電極と上部電極が交差する位置で確実に媒体本体の表裏に電位差を発生させることができ、高品質な画像を形成することができる。
【００２２】
ここで、記録媒体若しくは画像形成装置に下部電極又は上部電極への接地又は電圧印加を制御する媒体側電圧制御用ＩＣを備えることにより、画像データに基づいて選択的に下部電極又は上部電極への接地又は電圧印加を行うことができ、放電電極加熱工程と媒体側電圧制御工程のタイミングを容易に同期させることができ取り扱い性に優れる。
【００２３】
請求項７に記載の発明は、請求項５に記載の画像形成方法であって、前記加熱放電型印字ヘッドが前記下部電極及び前記上部電極とそれぞれ対向配置され、前記放電制御電圧印加工程で前記下部電極に対向配置される前記加熱放電型印字ヘッドの前記放電電極に印加される前記放電制御電圧と、前記上部電極に対向配置される前記加熱放電型印字ヘッドの前記放電電極に印加される前記放電制御電圧が、互いに逆極性の電荷を発生させる電圧である構成を有している。
この構成により、請求項５の作用に加え、以下のような作用を有する。
（１）加熱放電型印字ヘッドが記録媒体の下部電極及び上部電極とそれぞれ対向配置され、放電制御電圧印加工程において、下部電極に対向配置される加熱放電型印字ヘッドの放電電極に印加される放電制御電圧と、上部電極に対向配置される加熱放電型印字ヘッドの放電電極に印加される放電制御電圧が、互いに逆極性の電荷を発生させる電圧であることにより、放電電極加熱工程で加熱手段によりそれぞれの放電電極の電子放出部位を選択的に加熱することで、それぞれの放電電極から下部電極及び上部電極に対して逆極性の電荷を注入することができ、その電位差によって画像を形成することができる。
（２）媒体本体の両面に予め下部電極と上部電極が配設されているので、下部電極と上部電極のそれぞれに対向配置された加熱放電型印字ヘッドから下部電極及び上部電極に逆極性の電荷を注入することにより、下部電極と上部電極が交差する位置に電位差を発生させて画像を形成することができ、画像の位置ずれが発生することがなく、画像品質の信頼性に優れる。
【００２４】
請求項８に記載の発明は、請求項７に記載の画像形成方法であって、前記放電電極加熱工程が、前記下部電極に対向配置される前記加熱放電型印字ヘッドと前記上部電極に対向配置される前記加熱放電型印字ヘッドの間で同期して行われる構成を有している。
この構成により、請求項７の作用に加え、以下のような作用を有する。
（１）下部電極に対向配置される加熱放電型印字ヘッドと上部電極に対向配置される加熱放電型印字ヘッドの間で、放電電極加熱工程が同期して行われることにより、下部電極と上部電極が交差する位置で確実に媒体本体の表裏に大きな電位差を発生させることができ、高品質な画像を形成することができる。
【００２５】
請求項９に記載の発明は、請求項１乃至８の内いずれか１項に記載の画像形成方法であって、前記電荷注入工程が、前記媒体本体の画像表示領域外の領域で前記下部電極又は前記上部電極に形成された電荷注入部に対して行われる構成を有している。
この構成により、請求項１乃至８の内いずれか１項の作用に加え、以下のような作用を有する。
（１）電荷注入工程が、媒体本体の画像表示領域外の領域で下部電極又は上部電極に形成された電荷注入部に対して行われることにより、画像表示領域外の領域で下部電極又は上部電極に電荷を注入して画像表示領域の画像の書き込みや消去を行うことができるので、画像表示領域を有効に利用することができ、印字ヘッド等の位置決めや走査等が不要で画像形成の工程及び画像形成装置の機構を簡素化することができ、画像形成の作業性に優れる。
【００２６】
ここで、電荷注入部は下部電極又は上部電極の少なくともいずれか一方の端部や途中から延設されて媒体本体の画像表示領域外の領域に形成されていればよい。また、下部電極や上部電極に形成される電荷注入部の取り出し位置は任意に選択することができる。
下部電極及び上部電極のそれぞれに１つずつ電荷注入部を設ける場合は、２つの電荷注入部を媒体本体の一辺側に直列又は並列に並べて配置したり、直交する二辺側や対向する二辺側に１つずつ配置したりできる。２つの電荷注入部が、媒体本体の一辺側に並んで配置されている場合は、電荷注入部に電荷の注入を行う２つの印字ヘッドなどを一列に並べて配置することができ、画像形成装置のコンパクト化を図ることができる。
下部電極及び上部電極の両端側にそれぞれ電荷注入部を設けた場合、合計４つの電荷注入部は、媒体本体の一辺乃至四辺のいずれか１箇所以上に任意の組合せで配置することができる。例えば、一辺に１つずつ配置してもよいし、直交する二辺や対向する二辺に２つずつ直列又は並列に並べて配置してもよい。特に、一辺に１つずつ配置した場合、放熱性に優れ好ましい。
尚、下部電極及び上部電極に２つずつの電荷注入部を設けた場合、下部電極及び上部電極のそれぞれについていずれか１つの電荷注入部を選択して電荷を注入することができるので、記録媒体の向きを気にせずに使用することができ、取扱い性、汎用性に優れる。
【００２７】
請求項１０に記載の発明は、請求項１乃至３の内いずれか１項に記載の画像形成方法であって、前記電荷注入工程が、前記媒体本体の画像表示領域外の領域で前記下部電極又は前記上部電極の少なくともいずれか一方に形成された電荷注入部に対向して配置され、前記記録媒体に一体に形成された放電電極により行われる構成を有している。
この構成により、請求項１乃至３の内いずれか１項の作用に加え、以下のような作用を有する。
（１）電荷注入工程が、媒体本体の画像表示領域外の領域で下部電極又は上部電極の少なくともいずれか一方に形成された電荷注入部に対向して配置され、記録媒体に一体に形成された放電電極により行われるので、画像表示領域外の領域で放電電極に放電制御電圧を印加し、各種の加熱手段により放電電極を選択的に加熱することにより、放電電極から電荷注入部に対して電子やイオンを照射して電荷を注入することができ、画像表示領域を有効に利用することができる。
（２）下部電極又は上部電極の少なくとも一方に対応する電子放出部位を有する放電電極が、予め電荷注入部に対向して媒体本体と一体に形成されているので、画像形成装置には放電電極を加熱する加熱手段のみを設ければよく、画像形成装置の小型化、機構の簡素化を図ることができ、画像形成の作業性に優れる。
【００２８】
ここで、放電電極と電荷注入部との間にスペーサを配設することにより、電荷注入部と放電電極の間に放電空間を形成することができる。スペーサは、電荷注入部と放電電極との間の隙間を略一定に保って放電電極を保持することができるものであればよく、フォトレジスト等により形成することができる。スペーサは電荷注入部と放電電極の間に１つの共通な放電空間を形成するように電荷注入部の外周に配置してもよいし、電荷注入部と放電電極の間を下部電極又は上部電極のパターンに対応させて複数の放電空間に分割するように配置してもよい。
尚、記録媒体の放電電極を加熱する加熱手段としては、請求項４で説明したものと同様のものが好適に用いられる。
【００２９】
下部電極又は上部電極の一方のみに電荷注入部及び放電電極が形成されている場合、一方の電極へ放電電極からの電荷の注入を行うと共に他方の電極への接地又は電圧印加を行うが、他方の電極に印加する電圧の極性を放電電極に印加する放電制御電圧の極性と逆極性にすることで、下部電極と上部電極が交差する（重なる）位置に確実に電位差を発生させて画像を形成することができる。
下部電極及び上部電極の両方に電荷注入部及び放電電極が形成されている場合、各々の放電電極に印加する放電制御電圧を互いに逆極性の電荷を発生させる電圧にすることで、一方の放電電極からは正イオン、他方の放電電極からは負イオンが照射されるので、下部電極と上部電極に逆極性の電荷を注入することができ、下部電極と上部電極が交差する（重なる）位置に確実に電位差を発生させて画像を形成することができる。
【００３０】
請求項１１に記載の発明は、請求項１０に記載の画像形成方法であって、前記電荷注入工程が、前記媒体本体の前記放電電極に放電制御電圧を印加する放電制御電圧印加工程と、加熱手段により前記放電電極の前記下部電極又は前記上部電極に対応する電子放出部位を選択的に加熱する放電電極加熱工程と、を備えた構成を有している。
この構成により、請求項１０の作用に加え、以下のような作用を有する。
（１）放電制御電圧印加工程で記録媒体の放電電極に放電制御電圧が印加された状態で、放電電極加熱工程において加熱手段で放電電極の電子放出部位を選択的に加熱することにより、放電電極から下部電極又は上部電極に対して電子やイオンを照射することができ、電荷を注入することができる。
【００３１】
請求項１２に記載の発明は、請求項１１に記載の画像形成方法であって、前記放電電極加熱工程と前記媒体側電圧制御工程が、同期して行われる構成を有している。
この構成により、請求項１１の作用に加え、以下のような作用を有する。
（１）放電電極加熱工程と媒体側電圧制御工程が同期して行われることにより、下部電極と上部電極が交差する位置で確実に媒体本体の表裏に大きな電位差を発生させることができ、高品質な画像を形成することができる。
【００３２】
請求項１３に記載の発明は、請求項１１に記載の画像形成方法であって、前記放電電極が前記下部電極及び前記上部電極に接続された電荷注入部とそれぞれ対向配置され、前記放電制御電圧印加工程で前記下部電極に接続された前記電荷注入部と対向配置された前記放電電極に印加される前記放電制御電圧と、前記上部電極に接続された前記電荷注入部と対向配置された前記放電電極に印加される前記放電制御電圧が、互いに逆極性の電荷を発生させる電圧である構成を有している。
この構成により、請求項１１の作用に加え、以下のような作用を有する。
（１）放電電極が下部電極及び上部電極に接続された電荷注入部とそれぞれ対向配置され、放電制御電圧印加工程において、下部電極に接続された電荷注入部と対向配置された放電電極に印加される放電制御電圧と、上部電極に接続された電荷注入部と対向配置された放電電極に印加される放電制御電圧が、互いに逆極性の電荷を発生させる電圧であることにより、一方の放電電極からは正イオン、他方の放電電極からは負イオンが照射され、下部電極と上部電極に逆極性の電荷を注入することができ、下部電極と上部電極が交差する（重なる）位置に確実に電位差を発生させて画像を形成することができる。
【００３３】
請求項１４に記載の発明は、請求項１３に記載の画像形成方法であって、前記放電電極加熱工程が、前記下部電極に接続された前記電荷注入部と対向配置された前記放電電極と前記上部電極に接続された前記電荷注入部と対向配置された前記放電電極の間で同期して行われる構成を有している。
この構成により、請求項１３の作用に加え、以下のような作用を有する。
（１）放電電極加熱工程が、下部電極に接続された電荷注入部と対向配置された放電電極と上部電極に接続された電荷注入部と対向配置された放電電極の間で同期して行われることにより、下部電極と上部電極が交差する位置で確実に媒体本体の表裏に大きな電位差を発生させることができ、高品質な画像を形成することができる。
【００３４】
請求項１５に記載の発明は、請求項１１乃至１４の内いずれか１項に記載の画像形成方法であって、前記放電電極加熱工程に用いる加熱手段が、前記放電電極と絶縁されて前記電子放出部位に対応して配設され前記記録媒体に一体に形成された放電電極加熱部である構成を有している。
この構成により、請求項１１乃至１４の内いずれか１項の作用に加え、以下のような作用を有する。
（１）放電電極加熱工程が、放電電極と絶縁されて電子放出部位に対応して配設され記録媒体に一体に形成された放電電極加熱部により行われるので、電子やイオンの照射位置精度を向上させることができ、高精細な画像を形成することができる。
（２）記録媒体が放電電極加熱部を有するので、画像形成装置には加熱手段を設ける必要がなく、画像形成装置の小型化、機構の簡素化を図ることができ、画像形成の作業性に優れる。
【００３５】
ここで、放電電極と放電電極加熱部との間は放電電極保護層により絶縁されている。放電電極保護層の材質としては、絶縁性及び放電電極加熱部による加熱に耐える耐熱性を有すると共に、放電電極加熱部が発する熱を放電電極に伝達できる熱伝達性を有するものが好適に用いられる。具体的には、ガラスやポリイミド，芳香族ポリアミド，ポリフェニレンオキシド，ポリベンズイミダゾール，ボリフェニルキノキサリン，ポリアリレート，ポリエーテルイミド，ポリエーテルスルフォン，ポリフェニレンサルファイド，ポリエーテルエーテルケトン，アラミド等の合成樹脂等が好適に用いられる。
また、放電電極加熱部としては、ＴａＳｉＯ2、ＲｕＯ2等で形成された発熱抵抗体が好適に用いられる。尚、放電電極加熱部に加熱部保護層が覆設されている場合、放電電極加熱部の破損を確実に防止することができると共に、放電電極加熱部に直接、手が触れることを防止でき、取り扱い性、安全性に優れる。加熱部保護層の材質としては、前述の放電電極保護層と同様のものが好適に用いられる。
【００３６】
請求項１６に記載の発明は、請求項１１乃至１４の内いずれか１項に記載の画像形成方法であって、前記放電電極加熱工程に用いる加熱手段が、前記放電電極に対向して配置される外部加熱手段である構成を有している。
この構成により、請求項１１乃至１４の内いずれか１項の作用に加え、以下のような作用を有する。
（１）放電電極加熱工程が、放電電極に対向して配置される外部加熱手段により行われることにより、記録媒体に放電電極加熱部などの加熱手段を設ける必要がなく、記録媒体の取り扱い性に優れる。
ここで、外部加熱手段としては前述の加熱手段と同様のものが好適に用いられる。
【００３７】
請求項１７に記載の発明は、請求項１乃至１６の内いずれか１項に記載の画像形成方法であって、前記電荷注入工程により注入する電荷の極性を切り替える電荷切り替え工程を備えた構成を有している。
この構成により、請求項１乃至１６の内いずれか１項の作用に加え、以下のような作用を有する。
（１）電荷注入工程により注入する電荷の極性を切り替える電荷切り替え工程を有することにより、別途、画像消去手段を用いることなく画像を消去することができ、記録媒体を繰り返し使用することができ汎用性に優れる。
（２）電荷切り替え工程により、電荷注入工程で注入する電荷の極性を切り替えることができるので、画像が書き込まれた記録媒体を予め初期化することなく、画像データに基づいて任意の画像を形成することができ、画像の形成に要する時間を短縮することができる。
（３）電荷切り替え工程により、電荷注入工程で注入する電荷の極性を切り替えるだけで、白黒画像を反転させて形成することができ汎用性に優れる。
【００３８】
ここで、電荷切り替え工程は、画像の書き込み又は消去を行う際に、前もって行うこともできるし、画像を書き込みながら逐次行うこともできる。画像の書き込み前に電荷切り替え工程を行えば、反転画像を形成したり、既に書き込まれた画像と同じ画像をなぞり書きして画像を消去したりすることができる。予め媒体本体の両面に下部電極及び上部電極が形成されているので、位置ずれが発生することがなく、なぞり書きにより確実に画像を消去することができる。また、画像データに基づいて、逐次、電荷切り替え工程を行いながら、電荷注入工程で全てのデータに対応した電荷の注入を行えば、任意の画像を上書きすることができる。
【００３９】
請求項１８に記載の発明は、請求項１乃至１７の内いずれか１項に記載の画像形成方法であって、画像の１ライン中に印字する画素数に応じて前記電荷注入工程により注入する電荷の量を変化させる構成を有している。
この構成により、請求項１乃至１７の内いずれか１項の作用に加え、以下のような作用を有する。
（１）画像の１ライン中に印字する画素数に応じて電荷注入工程により注入する電荷の量を変化させることによって、１ライン中に印字する画素数に応じた電荷を過不足なく注入して画像を形成することができ、濃度斑や画像の抜けなどの発生を防止することができ、画像品質の信頼性に優れる。
【００４０】
ここで、画像の１ライン中に印字する画素数は、画像データに基づいて予め知ることができる。尚、一画素は表示原色一色当たりの基本表示単位を表すものとする。例えば、記録媒体が加法混色法における三原色（Ｒ，Ｇ，Ｂ）でフルカラー表示を行うものである場合は、各色について一画素ずつの合計三画素がカラー表示の基本単位となる。
記録媒体に画像を形成するための印字ヘッドとして、ワイヤ電極や針電極等に高電圧を印加してコロナ放電を発生させるものを用いる場合は、電極に印加する電圧を調整することにより、電荷の量を変化させることができる。また、電極を加熱して熱電子を放出させるものを用いる場合は、電極を加熱する温度を調整することにより、電荷の量を変化させることができる。記録媒体に一体に形成された放電電極や加熱放電型印字ヘッドを用いる場合は、放電電極に印加する放電制御電圧の電圧値や放電電極を加熱する温度を調整することにより、電荷の量を変化させることができる。
【００４１】
請求項１９に記載の発明は、請求項１乃至１７の内いずれか１項に記載の画像形成方法であって、画像データの濃度に応じて前記電荷注入工程により注入する電荷の量を変化させる構成を有している。
この構成により、請求項１乃至１７の内いずれか１項の作用に加え、以下のような作用を有する。
（１）画像データの濃度に応じて電荷注入工程により注入する電荷の量を変化させることによって、階調記録を行うことができ、画像品質を向上させることができる。
【００４２】
ここで、電荷注入工程により注入する電荷の量は、請求項１８と同様の方法で調整することができる。記録媒体の画像表示材料がツイストボール方式である場合は、一画素当たりに複数のツイストボールを配置することにより、電荷の量に応じて反転するツイストボールの数が変化して濃淡を表現することができる。記録媒体の画像表示材料が液晶方式或いは電気泳動方式，粉体移動方式等である場合は、電荷の量に応じて液晶の配列の変化量或いは帯電粒子の移動数量が変化して濃淡を表現することができる。
【００４３】
請求項２０に記載の発明は、請求項１乃至１９の内いずれか１項に記載の画像形成方法であって、前記記録媒体の画像を消去する初期化工程を備えた構成を有している。
この構成により、請求項１乃至１９の内いずれか１項の作用に加え、以下のような作用を有する。
（１）記録媒体の画像を消去する初期化工程を有することにより、記録媒体に書き込まれた既存の画像を画像形成前に確実に消去することができ、記録媒体を繰り返し使用する際の画像品質の信頼性に優れる。
【００４４】
ここで、初期化工程に用いる初期化手段としては、例えばスコロトロンやコロトロンの帯電器が好適に用いられる。下部電極又は上部電極の少なくともいずれか一方に、画像形成時と逆極性の電荷を一様に注入することにより、短時間で確実に画像を消去できる。
記録媒体の媒体本体に封入された画像表示材料が、加熱により画像が消去するタイプのものである場合には、画像形成装置に設けたヒータなどで記録媒体を加熱して画像を消去することができる。また、記録媒体自身にチタン酸バリウム等を主成分とするＰＴＣ（ＰＯＳＩＴＩＶＥ  ＴＥＭＰＥＲＡＴＵＲＥ  ＣＯＥＦＦＩＣＩＥＮＴ：正温度係数）抵抗体などの発熱抵抗体と、その発熱抵抗体に電力を供給するための電力供給用電極と、を有する媒体加熱層が形成されている場合は、画像形成装置にヒータ等の画像消去用加熱手段を設けることなく簡便かつ確実に記録媒体を加熱して画像を消去できる。
尚、記録媒体の媒体本体に封入された画像表示材料が、一部の液晶材料方式や粉体移動方式等のように、上下の電極の電位差が保持された状態でのみ画像が表示されるタイプのものである場合は、下部電極と上部電極を短絡させるだけで簡便かつ確実に短時間で画像を消去することができ、画像形成装置に特別な初期化手段を設ける必要がなく、画像形成装置の機構を簡素化することができ取扱い性に優れる。
【００４５】
本発明の請求項２１に記載の画像形成装置は、請求項２に記載の画像形成方法に用いる画像形成装置であって、前記記録媒体の前記下部電極又は前記上部電極と対向配置され前記下部電極又は前記上部電極に電子やイオンを照射して電荷を注入する印字ヘッドと、前記上部電極又は前記下部電極への接地又は前記印字ヘッドから注入される電荷と逆極性の電圧印加を行う媒体側電圧制御部と、を備えた構成を有している。
この構成により、以下のような作用を有する。
（１）記録媒体の下部電極又は上部電極と対向配置され下部電極又は上部電極に電子やイオンを照射して電荷を注入する印字ヘッドを有するので、非接触で画像の書き込みや消去を行うことができ、印字ヘッドと記録媒体を相対的に移動させる必要がなく、機構を簡素化することができ、印字ヘッドの汚れや記録媒体の傷或いは汚れが発生し難く、画像品質の信頼性、記録媒体の耐久性を向上させることができる。
（２）上部電極又は下部電極への接地又は印字ヘッドから注入される電荷と逆極性の電圧印加を行う媒体側電圧制御部を有するので、下部電極と上部電極が交差する位置に確実に電位差を発生させて画像を形成することができ、画像の位置ずれが発生することがなく、画像品質の信頼性に優れ、特に逆極性の電圧印加を行った場合には、媒体本体の表裏に発生する電位差を大きくすることができ、高品質な画像を形成することができる。
【００４６】
ここで、印字ヘッドは請求項１で説明したものと同様のものが好適に用いられる。
記録媒体の上部電極又は下部電極の端部に電極端子が形成されている場合、電極端子を画像形成装置のコネクタに挿通するだけで、簡便に電極端子を介して上部電極又は下部電極との導通を取ることができ、媒体側電圧制御部による接地や電圧印加を確実に行うことができ取り扱い性に優れる。また、電極端子が媒体本体の画像表示領域外の領域に配置されている場合は、媒体側電圧制御部との接続を簡便に行うことができると共に、画像表示領域を有効に利用することができる。
尚、請求項６で説明したように、媒体側電圧制御用ＩＣを備えることにより、画像データに基づいて上部電極又は下部電極への接地や電圧印加を制御できるが、媒体側電圧制御用ＩＣは画像形成装置側に設けてもよいし、記録媒体側に設けてもよい。
【００４７】
本発明の請求項２２に記載の画像形成装置は、請求項３に記載の画像形成方法に用いる画像形成装置であって、前記記録媒体の前記下部電極及び前記上部電極とそれぞれ対向配置され前記下部電極及び前記上部電極に互いに逆極性の電荷を注入する印字ヘッドを備えた構成を有している。
この構成により、以下のような作用を有する。
（１）記録媒体の下部電極及び上部電極とそれぞれ対向配置され下部電極及び上部電極に互いに逆極性の電荷を注入する印字ヘッドを有することにより、記録媒体と画像形成装置との間を電気的に接続する必要がなく、非接触で画像の書き込みや消去を行うことができ、印字ヘッドと記録媒体を相対的に移動させる必要がなく、機構を簡素化することができ、印字ヘッドの汚れや記録媒体の傷或いは汚れが発生し難く、画像品質の信頼性、記録媒体の耐久性を向上させることができる。
（２）印字ヘッドにより下部電極及び上部電極に互いに逆極性の電荷を注入することができるので、下部電極と上部電極が交差する位置に確実に大きな電位差を発生させて画像を形成することができ、画像の位置ずれが発生することがなく、高品質な画像を形成することができる。
【００４８】
ここで、印字ヘッドは請求項１で説明したものと同様のものが好適に用いられるが、下部電極及び上部電極にそれぞれ逆極性の電荷を注入することができればよいので、下部電極及び上部電極のそれぞれに対向配置する印字ヘッドは、同じものでもよいし、異なるものでもよい。
【００４９】
請求項２３に記載の発明は、請求項２１又は２２に記載の画像形成装置であって、前記印字ヘッドが、電子放出部位を有する放電電極と、前記放電電極の前記電子放出部位を選択的に加熱する加熱手段と、を備えた加熱放電型印字ヘッドである構成を有している。
この構成により、請求項２１又は２２の作用に加え、以下のような作用を有する。
（１）印字ヘッドが、電子放出部位を有する放電電極と放電電極の電子放出部位を選択的に加熱する加熱手段とを備えた加熱放電型印字ヘッドであることにより、放電電極の電子放出部位から放出される電子や電子の放出に伴って発生する大量のイオンを照射して選択的に電荷を注入することができ、画像形成の効率性に優れる。
（２）印字ヘッドとして加熱放電型印字ヘッドを用いることにより、放電電極に放電制御電圧を印加した状態で、放電電極への加熱の有無を制御するだけで、放電の有無を制御してイオンの発生制御を行うことができるので、放電電極に印加する電圧の制御が不要で、加熱手段による加熱の制御に使用する５Ｖ駆動のような低耐電圧対応のドライバＩＣを使用することができ、電荷注入の制御が容易で取り扱い性に優れる。
ここで、加熱放電型印字ヘッドについては請求項４で説明した通りであるので、説明を省略する。
【００５０】
請求項２４に記載の発明は、請求項２１乃至２３の内いずれか１項に記載の画像形成装置であって、前記印字ヘッドが、前記媒体本体の画像表示領域外の領域で前記下部電極又は前記上部電極に形成された電荷注入部と対向配置されている構成を有している。
この構成により、請求項２１乃至２３の内いずれか１項の作用に加え、以下のような作用を有する。
（１）印字ヘッドが、媒体本体の画像表示領域外の領域で下部電極又は上部電極に形成された電荷注入部と対向配置されていることにより、媒体本体の画像表示領域を有効に利用することができ、画像の書き込みや消去の工程を全て画像表示領域外から行うことができると共に、印字ヘッドを電荷注入部の配置に合わせて媒体本体の外周側にまとめて配置することができ、画像形成装置の構造を簡素化してコンパクト化を図ることができる。
ここで、電荷注入部については請求項９で説明した通りであるので、説明を省略する。
【００５１】
本発明の請求項２５に記載の画像形成装置は、請求項１５に記載の画像形成方法に用いる画像形成装置であって、前記記録媒体の前記下部電極又は前記上部電極に接続された電荷注入部に対向配置された前記放電電極に放電制御電圧を印加する放電制御電圧印加部と、前記放電電極に配設された前記放電電極加熱部を駆動する加熱部駆動部と、前記上部電極又は前記下部電極への接地又は前記放電電極から注入される電荷と逆極性の電圧印加を行う媒体側電圧制御部と、を備えた構成を有している。
この構成により、以下のような作用を有する。
（１）記録媒体の下部電極又は上部電極に接続された電荷注入部に対向配置された放電電極に放電制御電圧を印加する放電制御電圧印加部と、放電電極に配設された放電電極加熱部を駆動する加熱部駆動部と、上部電極又は下部電極への接地又は放電電極から注入される電荷と逆極性の電圧印加を行う媒体側電圧制御部と、を有することにより、下部電極又は上部電極に対応して放電電極及び放電電極加熱部が一体に形成された専用の記録媒体を用いて画像を形成することができ、印字ヘッドが不要で画像形成装置の小型化、機構の簡素化を図ることができ、電子やイオンの照射位置精度を向上させることができ、高精細な画像を形成することができる。
【００５２】
ここで、加熱部駆動部としては、放電電極加熱部を駆動して放電電極の任意の電子放出部位を選択的に加熱できるものであればよい。放電電極加熱部に電気的に接続された加熱制御用ＩＣを備えることにより、画像データに基づいて放電電極の加熱を制御できる。尚、加熱制御用ＩＣは画像形成装置側に設けてもよいし、記録媒体側に設けてもよい。
【００５３】
本発明の請求項２６に記載の画像形成装置は、請求項１５に記載の画像形成方法に用いる画像形成装置であって、前記記録媒体の前記下部電極に接続された前記電荷注入部と対向配置された前記放電電極及び前記上部電極に接続された前記電荷注入部と対向配置された前記放電電極に互いに逆極性の電荷を発生させる放電制御電圧を印加する放電制御電圧印加部と、それぞれの前記放電電極に配設された前記放電電極加熱部を駆動する加熱部駆動部と、を備えた構成を有している。
この構成により、以下のような作用を有する。
（１）下部電極に接続された電荷注入部と対向配置された放電電極及び上部電極に接続された電荷注入部と対向配置された放電電極に互いに逆極性の電荷を発生させる放電制御電圧を印加する放電制御電圧印加部と、それぞれの放電電極に配設された放電電極加熱部を駆動する加熱部駆動部と、を有することにより、下部電極及び上部電極に対応して放電電極及び放電電極加熱部が一体に形成された専用の記録媒体を用いて画像を形成することができ、印字ヘッドや媒体側電圧制御部が不要で画像形成装置の小型化、機構の簡素化を図ることができ、電子やイオンの照射位置精度を向上させることができ、高精細な画像を形成することができる。
【００５４】
ここで、放電制御電圧印加部は、下部電極及び上部電極のそれぞれに接続された電荷注入部に対向配置された放電電極に互いに逆極性の電荷を発生させる放電制御電圧を印加することにより、一方の電荷注入部に負のイオンを照射し、他方の電荷注入部に正のイオンを照射することができる。下部電極及び上部電極に照射するイオンは、互いに逆極性であればよく、負のイオン或いは正のイオンをどちら側の電極に照射するかは適宜、選択することができる。特に、放電制御電圧印加部が、放電電極に印加する放電制御電圧を切り替えて、発生させる電荷の極性を逆転させる電圧切り替え部を有する場合、印字ヘッドでなぞり書きすることによって画像を消去したり、上書きしたりでき汎用性に優れる。
【００５５】
本発明の請求項２７に記載の画像形成装置は、請求項１６に記載の画像形成方法に用いる画像形成装置であって、前記記録媒体の前記下部電極又は前記上部電極に接続された電荷注入部に対向配置された前記放電電極に放電制御電圧を印加する放電制御電圧印加部と、前記放電電極の前記電子放出部位を選択的に加熱する外部加熱手段と、前記上部電極又は前記下部電極への接地又は前記放電電極から注入される電荷と逆極性の電圧印加を行う媒体側電圧制御部と、を備えた構成を有している。
この構成により、以下のような作用を有する。
（１）記録媒体の下部電極又は上部電極に接続された電荷注入部に対向配置された放電電極に放電制御電圧を印加する放電制御電圧印加部と、放電電極の電子放出部位を選択的に加熱する外部加熱手段と、上部電極又は下部電極への接地又は放電電極から注入される電荷と逆極性の電圧印加を行う媒体側電圧制御部と、を有することにより、下部電極又は上部電極に対応して放電電極が一体に形成された専用の記録媒体を用いて高精細な画像を形成することができ、記録媒体に放電電極加熱部を設ける必要がなく、記録媒体の取り扱い性に優れる。
【００５６】
ここで、外部加熱手段としては、請求項４で説明した放電電極と密着又は離間して加熱する加熱手段と同様のものが好適に用いられる。
【００５７】
本発明の請求項２８に記載の画像形成装置は、請求項１６に記載の画像形成方法に用いる画像形成装置であって、前記記録媒体の前記下部電極に接続された前記電荷注入部と対向配置された前記放電電極及び前記上部電極に接続された前記電荷注入部と対向配置された前記放電電極に互いに逆極性の電荷を発生させる放電制御電圧を印加する放電制御電圧印加部と、それぞれの前記放電電極の前記電子放出部位を選択的に加熱する外部加熱手段と、を備えた構成を有している。
この構成により、以下のような作用を有する。
（１）下部電極に接続された電荷注入部と対向配置された放電電極及び上部電極に接続された電荷注入部と対向配置された放電電極に互いに逆極性の電荷を発生させる放電制御電圧を印加する放電制御電圧印加部と、それぞれの放電電極の電子放出部位を選択的に加熱する外部加熱手段と、を有することにより、下部電極及び上部電極に対応して放電電極が一体に形成された専用の記録媒体を用いて高精細な画像を形成することができ、記録媒体に放電電極加熱部を設ける必要がなく、記録媒体の取り扱い性に優れる。
【００５８】
請求項２９に記載の発明は、請求項２１，２５，２７の内いずれか１項に記載の画像形成装置であって、前記媒体側電圧制御部が、前記上部電極又は前記下部電極に接触する媒体側電圧印加部と、前記媒体側電圧印加部を走査して前記上部電極又は前記下部電極に順次、電圧印加を行う走査部と、を備えた構成を有している。
この構成により、請求項２１，２５，２７の内いずれか１項の作用に加え、以下のような作用を有する。
（１）媒体側電圧制御部が、上部電極又は下部電極に接触する媒体側電圧印加部と、媒体側電圧印加部を走査して上部電極又は下部電極に順次、電圧印加を行う走査部を有することにより、走査部で媒体側電圧印加部を走査するだけで、複数の上部電極又は下部電極の中から選択的に電圧印加を行うことができるので、上部電極又は下部電極に印加する電圧のオン、オフを切り換える必要がなく、制御を簡素化することができる。
【００５９】
ここで、上部電極及び下部電極は、媒体本体の表裏にそれぞれ所定のパターンで形成されているが、その端部を一列又は一行に並べて配置することにより、媒体側電圧印加部を一方向に走査させて電圧印加を行う上部電極又は下部電極を順次、選択することができる。特に、上部電極又は下部電極が、媒体本体の行方向又は列方向に短冊状に分割されて形成されている場合は、その行単位又は列単位で１ラインずつ画像の形成を行うことができる。
【００６０】
本発明の請求項３０に記載の画像形成装置は、請求項２０に記載の画像形成方法に用いる画像形成装置であって、前記記録媒体の前記下部電極又は前記上部電極の少なくともいずれか一方に一様に電荷を注入して画像を消去する初期化用ヘッドを備えた構成を有している。
この構成により、以下のような作用を有する。
（１）記録媒体の下部電極又は上部電極の少なくともいずれか一方に一様に電荷を注入して画像を消去する初期化用ヘッドを有することにより、印字ヘッドや記録媒体に一体に形成された放電電極から照射されるイオンの極性を切り替えて画像を消去する必要がなく、短時間で簡便かつ確実に画像を消去することができ、記録媒体を繰り返し使用する際の画像品質の信頼性に優れる。
【００６１】
ここで、初期化用ヘッドとしては、下部電極又は上部電極の少なくともいずれか一方に、画像形成時と逆極性の電荷を一様に注入することができればよい。スコロトロンやコロトロンの帯電器を用いてもよいし、請求項１で説明した画像形成に用いる各種の電子放出デバイスを含む印字ヘッドと同様のものを用いてもよい。
尚、請求項２１乃至３０で説明した画像形成装置は、記録媒体を表示部とする画像表示装置としても用いることができる。その場合、媒体本体の両面にそれぞれ注入又は印加された電荷が溜まった状態で保持されるので、画像形成後は無電源で画像を表示することができ省エネルギー性に優れると共に、静電気等の影響によって画像が乱れることを防止でき画像品質の安定性に優れる。
【発明の効果】
【００６２】
以上のように、本発明の画像形成方法及びそれに用いる画像形成装置によれば、以下のような有利な効果が得られる。
請求項１に記載の発明によれば、以下のような効果を有する。
（１）媒体本体の下面及び上面にそれぞれ所定のパターンで下部電極及び上部電極が形成された記録媒体に対し、電荷注入工程において、下部電極又は上部電極の少なくともいずれか一方に電子やイオンを照射して電荷を注入することにより、画像の書き込みや消去を行うことができ、電荷を注入するための印字ヘッドなどの位置決めや走査等が不要で画像形成の工程及び画像形成装置の機構を簡素化することができる画像形成の作業性に優れた画像形成方法を提供することができる。
（２）電荷を注入するための印字ヘッドなどと記録媒体を相対的に移動させる必要がなく、印字ヘッドの汚れや記録媒体の傷或いは汚れの発生を防止できる画像品質の信頼性に優れた画像形成方法を提供することができる。
（３）記録媒体の下部電極又は上部電極の少なくともいずれか一方と、媒体本体と、の間が、スペーサによって離間しているので、下部電極又は上部電極に注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができる画像品質の信頼性に優れた画像形成方法を提供することができる。
【００６３】
請求項２に記載の発明によれば、請求項１の効果に加え、以下のような効果を有する。
（１）媒体本体の下面及び上面にそれぞれ所定のパターンで下部電極及び上部電極が形成された記録媒体に対し、電荷注入工程により下部電極又は上部電極の一方に電荷を注入し、媒体側電圧制御工程により上部電極又は下部電極への接地若しくは上部電極又は下部電極に電荷注入工程で下部電極又は上部電極に注入された電荷と逆極性の電圧印加を行うことにより、下部電極と上部電極が交差する位置で確実に媒体本体の表裏に大きな電位差を発生させることができ、位置ずれのない高品質な画像を形成することができる画像品質の信頼性に優れた画像形成方法を提供することができる。
【００６４】
請求項３に記載の発明によれば、請求項１の効果に加え、以下のような効果を有する。
（１）電荷注入工程により、下部電極及び上部電極にそれぞれ逆極性の電荷を注入することができるので、下部電極と上部電極が交差する位置で確実に媒体本体の表裏に大きな電位差を発生させることができ、高品質な画像を形成することができる画像品質の信頼性に優れた画像形成方法を提供することができる。
【００６５】
請求項４に記載の発明によれば、請求項１乃至３の内いずれか１項の効果に加え、以下のような効果を有する。
（１）電子放出部位を有する放電電極と放電電極を選択的に加熱する加熱手段とを備えた加熱放電型印字ヘッドを用いることにより、電荷注入工程において大量のイオンを照射して注入する電荷の量を増大させることができる画像形成の効率性に優れた画像形成方法を提供することができる。
【００６６】
請求項５に記載の発明によれば、請求項４の効果に加え、以下のような効果を有する。
（１）放電制御電圧印加工程と放電電極加熱工程により駆動される加熱放電型印字ヘッドを用いることにより、放電制御電圧印加工程において放電電極に放電制御電圧を印加した状態で放電に備えることができ、放電電極加熱工程において加熱手段で放電電極の電子放出部位を選択的に加熱するだけで放電を発生させることができ、高電圧となる放電制御電圧を制御する必要がなく、下部電極又は上部電極に対して電子やイオンを照射して簡便かつ確実に電荷を注入することができる制御が容易で画像形成の効率性に優れた画像形成方法を提供することができる。
【００６７】
請求項６に記載の発明によれば、請求項５の効果に加え、以下のような効果を有する。
（１）放電電極加熱工程と媒体側電圧制御工程を同期させることにより、下部電極と上部電極が交差する位置で確実に媒体本体の表裏に電位差を発生させて高品質な画像を形成することができる画像品質の信頼性に優れた画像形成方法を提供することができる。
【００６８】
請求項７に記載の発明によれば、請求項５の効果に加え、以下のような効果を有する。
（１）放電制御電圧印加工程において、下部電極及び上部電極のそれぞれに対向配置される加熱放電型印字ヘッドの放電電極に印加する放電制御電圧を、互いに逆極性の電荷を発生させる電圧とすることにより、それぞれの放電電極から下部電極及び上部電極に対して逆極性の電荷を注入することができ、下部電極と上部電極が交差する位置に確実に電位差を発生させて位置ずれのない高品質な画像を形成することができる画像品質の信頼性に優れた画像形成方法を提供することができる。
【００６９】
請求項８に記載の発明によれば、請求項７の効果に加え、以下のような効果を有する。
（１）下部電極及び上部電極のそれぞれに対向配置される加熱放電型印字ヘッドの間で、放電電極加熱工程を同期させることにより、下部電極と上部電極が交差する位置で確実に媒体本体の表裏に大きな電位差を発生させて高品質な画像を形成することができる画像形成の効率性に優れた画像形成方法を提供することができる。
【００７０】
請求項９に記載の発明によれば、請求項１乃至８の内いずれか１項の効果に加え、以下のような効果を有する。
（１）電荷注入工程を媒体本体の画像表示領域外の領域で下部電極又は上部電極に形成された電荷注入部に対して行うことにより、画像表示領域外の領域から画像表示領域の画像の書き込みや消去を行うことができ、画像表示領域を有効に利用することができ、印字ヘッド等の位置決めや走査等が不要で画像形成の工程及び画像形成装置の機構を簡素化することができる画像形成の作業性に優れた画像形成方法を提供することができる。
【００７１】
請求項１０に記載の発明によれば、請求項１乃至３の内いずれか１項の効果に加え、以下のような効果を有する。
（１）電荷注入工程を記録媒体の画像表示領域外の領域に一体に形成された放電電極から行うことにより、画像表示領域を有効に利用することができ、画像形成装置には加熱手段のみを設ければよく、画像形成装置の小型化、機構の簡素化を図ることができる画像形成の作業性に優れた画像形成方法を提供することができる。
【００７２】
請求項１１に記載の発明によれば、請求項１０の効果に加え、以下のような効果を有する。
（１）放電制御電圧印加工程で放電制御電圧が印加された記録媒体の放電電極に対し、放電電極加熱工程において加熱手段による選択的な加熱を行うだけで、放電電極から下部電極又は上部電極に対して電子やイオンを照射して電荷を注入することができる画像形成の作業性に優れた画像形成方法を提供することができる。
【００７３】
請求項１２に記載の発明によれば、請求項１１の効果に加え、以下のような効果を有する。
（１）放電電極加熱工程と媒体側電圧制御工程を同期させることにより、下部電極と上部電極が交差する位置で確実に媒体本体の表裏に大きな電位差を発生させて高品質な画像を形成することができる画像形成の効率性に優れた画像形成方法を提供することができる。
【００７４】
請求項１３に記載の発明によれば、請求項１１の効果に加え、以下のような効果を有する。
（１）放電制御電圧印加工程において、下部電極及び上部電極のそれぞれに接続された電荷注入部と対向配置された放電電極に印加される放電制御電圧を、互いに逆極性の電荷を発生させる電圧とすることにより、一方の放電電極からは正イオン、他方の放電電極からは負イオンを照射して、下部電極と上部電極に逆極性の電荷を注入することができ、下部電極と上部電極が交差する（重なる）位置に確実に電位差を発生させて画像を形成することができる画像品質の信頼性に優れた画像形成方法を提供することができる。
【００７５】
請求項１４に記載の発明によれば、請求項１３の効果に加え、以下のような効果を有する。
（１）下部電極及び上部電極のそれぞれに接続された電荷注入部と対向配置された放電電極に対する放電電極加熱工程を同期させることにより、下部電極と上部電極が交差する位置で確実に媒体本体の表裏に大きな電位差を発生させて画像を形成することができる画像品質の信頼性に優れた画像形成方法を提供することができる。
【００７６】
請求項１５に記載の発明によれば、請求項１１乃至１４の内いずれか１項の効果に加え、以下のような効果を有する。
（１）放電電極加熱工程を記録媒体に一体に形成された放電電極加熱部により行うことにより、電子やイオンの照射位置精度を向上させて高精細な画像を形成することができ、画像形成装置には加熱手段を設ける必要がなく、画像形成装置の小型化、機構の簡素化を図ることができる画像形成の作業性に優れた画像形成方法を提供することができる。
【００７７】
請求項１６に記載の発明によれば、請求項１１乃至１４の内いずれか１項の効果に加え、以下のような効果を有する。
（１）画像形成装置に設けた外部加熱手段によって放電電極加熱工程を行うことにより、記録媒体に加熱手段を設ける必要がなく、記録媒体の取り扱い性に優れた画像形成方法を提供することができる。
【００７８】
請求項１７に記載の発明によれば、請求項１乃至１６の内いずれか１項の効果に加え、以下のような効果を有する。
（１）電荷切り替え工程を有することにより、電荷注入工程で注入する電荷の極性を適宜、切り替えることができるので、画像の消去や上書き、反転画像の形成などを簡便に行うことができ、画像の形成に要する時間を短縮でき、記録媒体を繰り返し使用することができる汎用性に優れた画像形成方法を提供することができる。
【００７９】
請求項１８に記載の発明によれば、請求項１乃至１７の内いずれか１項の効果に加え、以下のような効果を有する。
（１）画像の１ライン中に印字する画素数に応じて電荷注入工程により注入する電荷の量を変化させることによって、画像の形成に必要な電荷を過不足なく注入することができ、濃度斑や画像の抜けなどの発生を防止することができる画像品質の信頼性に優れた画像形成方法を提供することができる。
【００８０】
請求項１９に記載の発明によれば、請求項１乃至１７の内いずれか１項の効果に加え、以下のような効果を有する。
（１）電荷注入工程で注入する電荷の量を画像データの濃度に応じて変化させることにより、簡便に階調記録を行って画像品質を向上させることができる画像形成の作業性、信頼性に優れた画像形成方法を提供することができる。
【００８１】
請求項２０に記載の発明によれば、請求項１乃至１９の内いずれか１項の効果に加え、以下のような効果を有する。
（１）記録媒体に書き込まれた既存の画像を初期化工程によって画像形成前に確実に消去することができ、記録媒体を繰り返し使用する際の画像品質の信頼性に優れた画像形成方法を提供することができる。
【００８２】
請求項２１に記載の発明によれば、以下のような効果を有する。
（１）記録媒体の下部電極又は上部電極と対向配置された印字ヘッドにより、下部電極又は上部電極に電子やイオンを照射して電荷を注入することができるので、非接触で画像の書き込みや消去を行うことができ、印字ヘッドと記録媒体を相対的に移動させる必要がなく、機構を簡素化することができ、印字ヘッドの汚れや記録媒体の傷或いは汚れが発生し難く、画像品質の信頼性、記録媒体の耐久性を向上させることができるメンテナンス性、信頼性に優れた画像形成装置を提供することができる。
（２）媒体側電圧制御部によって記録媒体の上部電極又は下部電極への接地又は印字ヘッドから注入される電荷と逆極性の電圧印加を行うことができるので、下部電極と上部電極が交差する位置に確実に電位差を発生させて位置ずれのない高品質な画像を形成することができ、特に逆極性の電圧印加を行った場合には、媒体本体の表裏に発生する電位差を増大させて画像品質を向上させることができる画像品質の信頼性に優れた画像形成装置を提供することができる。
【００８３】
請求項２２に記載の発明によれば、以下のような効果を有する。
（１）記録媒体の下部電極及び上部電極のそれぞれと対向配置された印字ヘッドにより、下部電極及び上部電極に互いに逆極性の電荷を注入することができるので、記録媒体と画像形成装置との間を電気的に接続する必要がなく、非接触で画像の書き込みや消去を行うことができ、印字ヘッドと記録媒体を相対的に移動させる必要がなく、機構を簡素化することができ、印字ヘッドの汚れや記録媒体の傷或いは汚れが発生し難く、画像品質の信頼性、記録媒体の耐久性を向上させることができるメンテナンス性、信頼性に優れた画像形成装置を提供することができる。
（２）印字ヘッドにより下部電極及び上部電極に互いに逆極性の電荷を注入することができるので、下部電極と上部電極が交差する位置に確実に大きな電位差を発生させて位置ずれのない高品質な画像を形成することができる画像品質の信頼性に優れた画像形成装置を提供することができる。
【００８４】
請求項２３に記載の発明によれば、請求項２１又は２２の効果に加え、以下のような効果を有する。
（１）電子放出部位を有する放電電極と放電電極の電子放出部位を選択的に加熱する加熱手段とを備えた加熱放電型印字ヘッドを用いることにより、放電電極の電子放出部位から放出される電子や電子の放出に伴って発生する大量のイオンを照射して選択的に電荷を注入することができる画像形成の効率性に優れた画像形成装置を提供することができる。
【００８５】
請求項２４に記載の発明によれば、請求項２１乃至２３の内いずれか１項の効果に加え、以下のような効果を有する。
（１）画像の書き込みや消去の工程を全て画像表示領域外の領域で電荷注入部と対向配置された印字ヘッドから行うことができるので、媒体本体の画像表示領域を有効に利用することができると共に、印字ヘッドを電荷注入部の配置に合わせて媒体本体の外周側にまとめて配置することができる構造が簡素でコンパクト性、取り扱い性に優れた画像形成装置を提供することができる。
【００８６】
請求項２５に記載の発明によれば、以下のような効果を有する。
（１）放電電極に放電制御電圧を印加する放電制御電圧印加部と、放電電極に配設された放電電極加熱部を駆動する加熱部駆動部と、を有すると共に、媒体側電圧制御部により上部電極又は下部電極への接地又は放電電極から注入される電荷と逆極性の電圧印加を行うことができるので、下部電極又は上部電極に対応して放電電極及び放電電極加熱部が一体に形成された専用の記録媒体を用いて高精細な画像を形成することができ、印字ヘッドが不要な簡素な構造で、コンパクト性、取り扱い性に優れた画像形成装置を提供することができる。
【００８７】
請求項２６に記載の発明によれば、以下のような効果を有する。
（１）記録媒体の下部電極及び上部電極のそれぞれに接続された電荷注入部と対向配置された放電電極に互いに逆極性の電荷を発生させる放電制御電圧を印加する放電制御電圧印加部と、それぞれの放電電極に配設された放電電極加熱部を駆動する加熱部駆動部と、を有することにより、下部電極及び上部電極に対応して放電電極及び放電電極加熱部が一体に形成された専用の記録媒体を用いて高精細な画像を形成することができ、印字ヘッドや媒体側電圧制御部が不要で、機構を簡素化することができるコンパクト性、取り扱い性に優れた画像形成装置を提供することができる。
【００８８】
請求項２７に記載の発明によれば、以下のような効果を有する。
（１）放電電極に放電制御電圧を印加する放電制御電圧印加部と、放電電極の電子放出部位を選択的に加熱する外部加熱手段と、上部電極又は下部電極への接地又は放電電極から注入される電荷と逆極性の電圧印加を行う媒体側電圧制御部と、を有することにより、下部電極又は上部電極に対応して放電電極が一体に形成された専用の記録媒体を用いて高精細な画像を形成することができ、記録媒体に放電電極加熱部を設ける必要がなく、記録媒体の取り扱い性に優れた画像形成装置を提供することができる。
【００８９】
請求項２８に記載の発明によれば、以下のような効果を有する。
（１）記録媒体の下部電極及び上部電極のそれぞれに接続された電荷注入部と対向配置された放電電極に互いに逆極性の電荷を発生させる放電制御電圧を印加する放電制御電圧印加部と、それぞれの放電電極の電子放出部位を選択的に加熱する外部加熱手段と、を有することにより、下部電極及び上部電極に対応して放電電極が一体に形成された専用の記録媒体を用いて高精細な画像を形成することができ、記録媒体に放電電極加熱部を設ける必要がなく、記録媒体の取り扱い性に優れた画像形成装置を提供することができる。
【００９０】
請求項２９に記載の発明によれば、請求項２１，２５，２７の内いずれか１項の効果に加え、以下のような効果を有する。
（１）媒体側電圧制御部が、上部電極又は下部電極に接触する媒体側電圧印加部と、媒体側電圧印加部を走査して上部電極又は下部電極に順次、電圧印加を行う走査部を有することにより、走査部で媒体側電圧印加部を走査するだけで、複数の上部電極又は下部電極の中から選択的に電圧印加を行うことができ、上部電極又は下部電極に印加する電圧の制御が不要な画像形成の作業性に優れた画像形成装置を提供することができる。
【００９１】
請求項３０に記載の発明によれば、以下のような効果を有する。
（１）初期化用ヘッドを用いて記録媒体の下部電極又は上部電極の少なくともいずれか一方に一様に電荷を注入することにより、短時間で簡便かつ確実に画像を消去することができ、記録媒体を繰り返し使用する際の画像品質の信頼性に優れた画像形成装置を提供することができる。
【発明を実施するための最良の形態】
【００９２】
（実施の形態１）
まず、本発明の実施の形態１における画像形成方法に用いる記録媒体について、以下図面を参照しながら説明する。
図１は実施の形態１における画像形成方法に用いる記録媒体を示す部分破断模式斜視図である。
図１中、１は本発明の実施の形態１における画像形成方法に用いる記録媒体、２は白色と減法混色法における三原色（Ｙ，Ｍ，Ｃ）の表示原色の内のいずれか一色を選択的に表示可能な電気泳動方式の画像表示材料２ａが表示原色の色毎に縞模様状に配置されて封入された媒体本体、３は媒体本体２の表示原色の各色に対応させて行方向に分割されて短冊状に形成され媒体本体２の下面側に配設された記録媒体１のＩＴＯ等の透明な下部電極、３ａは媒体本体２の画像表示領域外の領域で下部電極３の端部に形成された記録媒体１の電荷注入部、３Ａはフォトレジスト等により形成され各々の下部電極３と媒体本体２との間を行単位に分割するように配設されて媒体本体２と下部電極３とを離間させたスペーサ、３Ｂは媒体本体２と下部電極３との間に形成された放電空間、４は媒体本体２の上面に列方向に分割されて短冊状に形成され下部電極３と直交するように配設された記録媒体１の上部電極、４ａは媒体本体２の画像表示領域外の領域で上部電極４の端部に形成された記録媒体１の電極端子、５ａ，５ｂはガラス、アラミド、ポリイミド、ＰＥＴ、ポリアミド等の合成樹脂等の材質で形成され下部電極３及び上部電極４に覆設された記録媒体１の電極保護層、６は電極端子４ａに接続され上部電極４への電圧印加を制御する記録媒体１の媒体側電圧制御用ＩＣである。
尚、図１では、説明の都合上、記録媒体１の一部として３行分の下部電極３及び４列分の上部電極４のみを示している。
【００９３】
図２は実施の形態１における画像形成方法に用いる記録媒体の媒体本体を示す模式平面図である。
図２に示すように、媒体本体２には白色と減法混色法における三原色（Ｙ，Ｍ，Ｃ）の表示原色の内のいずれか一色を選択的に表示可能な電気泳動方式の画像表示材料２ａが表示原色の色毎に縞模様状に配置されて封入されている。
下部電極３を透明電極とすることにより、下部電極３が形成された媒体本体２の下面側を表示面として、反射光による画像表示を行うことができる。
尚、１行の下部電極３と１列の上部電極４が交差する位置の表示原色の１色分が、記録媒体１の一画素（基本表示単位）に相当し、３行の下部電極３と１列の上部電極４が交差する位置の表示原色の三原色（Ｙ，Ｍ，Ｃ）分が、記録媒体１のカラー表示の基本単位となる。
本実施の形態では、下部電極３の１行当たりに画像表示材料２ａを２行ずつ配置したが、画像表示材料２ａの配置はこれに限定されるものではなく、１行当たりに配置する画像表示材料２ａの数は任意に選択することができる。
【００９４】
以上のように構成された記録媒体を用いた実施の形態１における画像形成方法及びそれに用いる画像形成装置について説明する。
図３は実施の形態１における画像形成方法に用いる記録媒体を示す模式平面図であり、図４は実施の形態１における画像形成方法に用いる画像形成装置を示す要部模式断面図である。
図３において、下部電極３と上部電極４が重なり合っている領域ｗが、媒体本体２の画像表示領域である。
尚、図４においては、図３における記録媒体１のＡ−Ｏ−Ａ線の断面を同一面上に展開して示している。
図４中、１５は実施の形態１における画像形成方法に用いる画像形成装置、１６は記録媒体１を載置して保持する画像形成装置１５の媒体載置部、２０は電荷注入部３ａに対して選択的に電子やイオンを照射して電荷を注入する画像形成装置１５の印字ヘッド、２１は媒体側電圧制御用ＩＣ６を介して上部電極４へ印字ヘッド２０から注入される電荷と逆極性の電圧印加を行う画像形成装置１５の媒体側電圧制御部である。
尚、印字ヘッド２０は、選択的に電子やイオンを照射できるものであればよく、ワイヤ電極や針電極等に高電圧を印加してコロナ放電を発生させるもの、電極を加熱して熱電子を放出させるもの、放電電極に印加する電圧と放電電極の温度を制御して電子やイオンを照射する加熱放電型印字ヘッド（例えば特開２００３−３２６７５６号やＷＯ２００５／０５６２９７）、ＳＥＤ（表面電界ディスプレイ）に使用される電子放出デバイス、ＦＥＤ（電界放出型ディスプレイ）に使用される電子放出デバイス、電子放出部にカーボンナノチューブを使用したカーボンナノチューブＦＥＤ等を用いることができる。
【００９５】
以上のように構成された画像形成装置の動作に基づいて、実施の形態１における画像形成方法を説明する。
電荷注入工程において、印字ヘッド２０から選択された電荷注入部３ａへ電子や負イオンを照射し、負電荷を注入すると共に、媒体側電圧制御工程において、媒体側電圧制御部２１から選択された電極端子４ａに正電圧を印加する。
電荷注入工程及び媒体側電圧制御工程を行うことにより、選択された電荷注入部３ａに接続された下部電極３と、選択された電極端子４ａに接続された上部電極４が交差する位置で、下部電極３と上部電極４の間に電位差が発生する。この電位差により、下部電極３から放電が発生し、媒体本体２の裏面に電子やイオンが照射され電荷が付与される。その結果、媒体本体２の表裏に電位差が生じ、その電位差に従って画像表示材料２ａが移動して画像が形成される。
記録媒体１と印字ヘッド２０を相対的に移動させることなく、電荷注入部３ａから電荷を注入して画像の形成を行うことができるので、記録媒体１は画像形成装置１５の媒体載置部１６上に載置するだけでよく、媒体載置部１６及び印字ヘッド２０の移動機構が不要で、画像形成装置１５の機構を簡素化してコンパクト化することができる。
【００９６】
本実施の形態では、記録媒体１に配設された媒体側電圧制御用ＩＣ６を介して媒体側電圧制御部２１から上部電極４への電圧の印加を行ったが、媒体側電圧制御用ＩＣ６は媒体側電圧制御部２１に設けてもよい。尚、媒体側電圧制御用ＩＣ６を用いる代わりに、上部電極４の電極端子４ａに接触する媒体側電圧印加部と、媒体側電圧印加部を走査して上部電極４に順次、電圧印加を行う走査部と、を備えた媒体側電圧制御部を用いてもよい。走査部で媒体側電圧印加部を走査するだけで、複数の上部電極４の中から選択的に電圧印加を行うことができるので、上部電極４に印加する電圧のオン、オフを切り換える必要がなく、制御を簡素化することができる。
また、本実施の形態では、電荷注入工程において、下部電極３側に負電荷を注入し、媒体側電圧制御工程において、上部電極４側に正電圧を印加したが、下部電極３側に正電荷を注入し、媒体側電圧制御工程において、上部電極４側に負電圧を印加してもよい。尚、媒体側電圧制御工程においては、電荷注入工程で注入される電荷と逆極性の電圧を印加する代わりに、接地を行ってもよい。
【００９７】
印字ヘッド２０が、電子放出部位を有する放電電極と放電電極を選択的に加熱する加熱手段とを備えた加熱放電型印字ヘッドである場合、電荷注入工程は、加熱放電型印字ヘッドの放電電極に放電制御電圧を印加する放電制御電圧印加工程と、加熱手段により放電電極の電子放出部位を選択的に加熱する放電電極加熱工程と、を有する。放電制御電圧印加工程において放電電極に放電制御電圧を印加した状態で放電に備えることができるので、高電圧となる放電制御電圧を制御する必要がなく、放電電極加熱工程で放電電極の電子放出部位を選択的に加熱するだけで放電を発生させることができ、放電電極から下部電極３又は上部電極４に対して電子やイオンを照射して簡便かつ確実に電荷を注入することができる。
このとき、電荷注入工程の放電電極加熱工程と前述の媒体側電圧制御工程を同期させて行った場合、下部電極３と上部電極４が交差する位置で確実に媒体本体２の表裏に電位差を発生させることができ、高品質な画像を形成することができる。
【００９８】
尚、画像の１行中に表示する画素数に応じて、電荷注入工程により注入する電荷の量を変化させることにより、１ライン中に印字する画素数に応じた電荷を過不足なく注入して画像を形成することができ、濃度斑や画像の抜けなどの発生を防止することができ、画像品質の信頼性に優れる。
また、画像データの濃度に応じて、画素毎に電荷注入工程により注入する電荷の量を変化させることにより、画像表示材料２ａの移動量を変化させて階調記録を行うことができ、画像の高品質性に優れる。
本実施の形態では、下部電極３を行方向に分割し、上部電極４を列方向に分割してマトリックス状に配置したが、下部電極３を列方向に分割し、上部電極４を行方向に分割してもよい。尚、下部電極３及び上部電極４のパターンは、本実施の形態に限定されるものではなく、表示する画像の種類に応じて適宜、選択することができる。表示する画像が、予め決められた文字や数字などの場合は、表示面側の下部電極３を文字や数字を構成するセグメント単位に分割して形成し、上部電極４は画像表示領域ｗに共通の平板電極とすればよい。
また、本実施の形態では、媒体本体２の裏面側にスペーサ３Ａを配置し、媒体本体２と下部電極３との間を離間させたが、下部電極３又は上部電極４の少なくともいずれか一方を媒体本体２と離間させればよく、スペーサは媒体本体２の表裏のいずれか一方、若しくは両方に形成することができる。
【００９９】
実施の形態１の画像形成方法は以上のように構成されているので以下の作用を有する。
（１）媒体本体２の下面及び上面にそれぞれ所定のパターンで下部電極３及び上部電極４が形成された記録媒体１に対し、電荷注入工程において、下部電極３に電子やイオンを照射して電荷を注入することにより、画像の書き込みや消去を行うことができ、電荷を注入するための印字ヘッド２０の位置決めや走査等が不要で画像形成の工程及び画像形成装置１５の機構を簡素化することができ画像形成の作業性に優れる。
（２）記録媒体１が下部電極３と媒体本体２との間に配設され、媒体本体２と下部電極３とを離間させたスペーサ３Ａを備えているので、下部電極３に注入された電荷の作用によって、媒体本体２と電荷が注入された下部電極３との間で選択的に放電を発生させることができ、下部電極３に選択的に注入された電荷が、隣接する電荷が注入されていない下部電極３に作用することがなく、クロストークの発生を確実に防止することができ、滲みのない高品質な画像を形成することができ、画像品質の信頼性に優れる。
（３）電荷を注入するための印字ヘッド２０と記録媒体１を相対的に移動させる必要がないので、印字ヘッド２０の汚れや記録媒体１の傷或いは汚れが発生し難く、画像品質の信頼性、記録媒体１の耐久性を向上させることができる。
（４）媒体本体２の両面に予め所定のパターンで形成された下部電極３と上部電極４が配設されているので、電荷注入工程により下部電極３に電荷を注入し、媒体側電圧制御工程により上部電極４に電荷注入工程で下部電極３に注入された電荷と逆極性の電圧印加を行うことにより、下部電極３と上部電極４が交差する位置で確実に媒体本体２の表裏に大きな電位差を発生させて画像を形成することができ、画像の位置ずれが発生することがなく、画像品質の信頼性に優れる。
（５）電荷注入工程及び媒体側電圧制御工程で媒体本体２の両面にそれぞれ注入及び印加された電荷が溜まった状態で保持されるので、画像形成後は無電源で画像を表示することができ省エネルギー性に優れると共に、静電気等の影響によって画像が乱れることを防止でき画像品質の安定性に優れる。
（６）電荷注入工程が、媒体本体２の画像表示領域ｗ外の領域で下部電極３の端部に形成された電荷注入部３ａに対して行われることにより、画像表示領域ｗ外の領域で下部電極３に電荷を注入して画像表示領域ｗの画像の書き込みや消去を行うことができるので、画像表示領域ｗを有効に利用することができ、印字ヘッド２０の位置決めや走査等が不要で画像形成の工程及び画像形成装置１５の機構を簡素化することができ、画像形成の作業性に優れる。
（７）記録媒体１が電極端子４ａに接続され上部電極４への電圧印加を制御する媒体側電圧制御用ＩＣ６を備えることにより、画像データに基づいて選択的に上部電極４への電圧印加を行うことができ、電荷注入部３ａへの電荷の注入と上部電極４への電圧印加のタイミングを容易に同期させることができ取り扱い性に優れる。
【０１００】
実施の形態１の画像形成方法に用いる画像形成装置は以上のように構成されているので以下の作用を有する。
（１）記録媒体１の下部電極３と対向配置され下部電極３に電子やイオンを照射して電荷を注入する印字ヘッド２０を有するので、非接触で画像の書き込みや消去を行うことができ、印字ヘッド２０と記録媒体１を相対的に移動させる必要がなく、機構を簡素化することができ、印字ヘッド２０の汚れや記録媒体１の傷或いは汚れが発生し難く、画像品質の信頼性、記録媒体の耐久性を向上させることができる。
（２）上部電極４への印字ヘッド２０から注入される電荷と逆極性の電圧印加を行う媒体側電圧制御部２１を有するので、下部電極３と上部電極４が交差する位置に確実に大きな電位差を発生させて高品質な画像を形成することができる。
（３）印字ヘッド２０が、媒体本体２の画像表示領域ｗ外の領域で下部電極３の端部に形成された電荷注入部３ａと対向配置されていることにより、媒体本体２の画像表示領域ｗを有効に利用することができ、画像の書き込みや消去の工程を全て画像表示領域ｗ外から行うことができると共に、印字ヘッド２０を電荷注入部３ａの配置に合わせて媒体本体２の外周側に配置することができ、画像形成装置１５の構造を簡素化してコンパクト化を図ることができる。
【０１０１】
（実施の形態２）
本発明の実施の形態２における画像形成方法及びそれに用いる画像形成装置について、以下図面を参照しながら説明する。尚、実施の形態１と同様のものには同一の符号を付して説明を省略する。
図５は実施の形態２における画像形成方法に用いる画像形成装置を示す要部模式断面図である。
図５において、実施の形態２における画像形成方法に用いる記録媒体１ａが、実施の形態１と異なるのは、電極端子４ａの代わりに、上部電極４の端部に電荷注入部４ｂが形成されている点である。
また、実施の形態２における画像形成方法に用いる画像形成装置が、実施の形態１と異なるのは、画像形成装置１５ａが媒体側電圧制御部２１の代わりにもう１つの印字ヘッド２０ａを備えており、媒体側電圧制御用ＩＣ６を介して上部電極４へ電圧印加を行う代わりに、電荷注入部４ｂと離間して対向配置された印字ヘッド２０ａから、電荷注入部４ｂに対して選択的に正イオンを照射して電荷を注入している点である。
電荷注入工程において、２箇所の電荷注入部３ａ，４ｂにそれぞれ逆極性の電荷が注入されることにより、選択された電荷注入部３ａに接続された下部電極３と、選択された電荷注入部４ｂに接続された上部電極４が交差する位置で放電が発生し、媒体本体２の表裏に生じた電位差に従って画像表示材料２ａが移動して画像が形成される。
【０１０２】
実施の形態２の画像形成方法は以上のように構成されているので、実施の形態１の（２），（３）と同様の作用に加え、以下の作用を有する。
（１）負又は正のイオンを照射可能な印字ヘッド２０，２０ａを各々の電荷注入部３ａ，４ｂに対向させて配置し、電荷注入工程において、下部電極３及び上部電極４にそれぞれ逆極性の電荷を注入することにより、下部電極３と上部電極４が交差する位置で確実に媒体本体２の表裏に大きな電位差を発生させることができ、高品質な画像を形成することができる。
（２）電荷注入工程で媒体本体２の両面にそれぞれ注入された電荷が溜まった状態で保持されるので、画像形成後は無電源で画像を表示することができ省エネルギー性に優れると共に、静電気等の影響によって画像が乱れることを防止でき画像品質の安定性に優れる。
【０１０３】
実施の形態２の画像形成方法に用いる画像形成装置は以上のように構成されているので、以下の作用を有する。
（１）記録媒体１の下部電極３及び上部電極４とそれぞれ対向配置され下部電極３及び上部電極４に互いに逆極性の電荷を注入する印字ヘッド２０，２０ａを有することにより、記録媒体１と画像形成装置１５ａとの間を電気的に接続する必要がなく、非接触で画像の書き込みや消去を行うことができ、印字ヘッド２０，２０ａと記録媒体１ａを相対的に移動させる必要がなく、機構を簡素化することができ、印字ヘッド２０，２０ａの汚れや記録媒体１ａの傷或いは汚れが発生し難く、画像品質の信頼性、記録媒体１ａの耐久性を向上させることができる。
（２）印字ヘッド２０，２０ａにより下部電極３及び上部電極４に互いに逆極性の電荷を注入することができるので、下部電極３と上部電極４が交差する位置に確実に大きな電位差を発生させて画像を形成することができ、画像の位置ずれが発生することがなく、高品質な画像を形成することができる。
（３）印字ヘッド２０，２０ａが、媒体本体２の画像表示領域ｗ外の領域で下部電極３及び上部電極４の端部にそれぞれ形成された電荷注入部３ａ，４ｂと対向配置されていることにより、媒体本体２の画像表示領域ｗを有効に利用することができ、画像の書き込みや消去の工程を全て画像表示領域ｗ外から行うことができると共に、印字ヘッド２０，２０ａを電荷注入部３ａ，４ｂの配置に合わせて媒体本体２の外周側にまとめて配置することができ、画像形成装置１５ａの構造を簡素化してコンパクト化を図ることができる。
【０１０４】
（実施の形態３）
本発明の実施の形態３における画像形成方法について、以下図面を参照しながら説明する。尚、実施の形態１又は２と同様のものには同一の符号を付して説明を省略する。
図６は実施の形態３における画像形成方法に用いる画像形成装置を示す要部模式断面図である。
図６において、実施の形態３における画像形成方法に用いる記録媒体１ｂが、実施の形態１と異なるのは、フォトレジスト等により全ての電荷注入部３ａの外周を囲むように電荷注入部３ａ及び電極保護層５ａの上面に突設されたスペーサ７と、電荷注入部３ａと後述する放電電極８との間に形成された放電空間７ａと、スペーサ７上に渡設され電荷注入部３ａに離間して対向配置された放電電極８と、放電電極８に接続された放電制御電圧入力用端子９を備えている点である。
【０１０５】
スペーサ７は、電荷注入部３ａと放電電極８との間の隙間を略一定に保って放電電極８を保持することができるものであればよい。スペーサ７は、複数の電荷注入部３ａと放電電極８の間に１つの共通な放電空間７ａを形成するように配置する代わりに、各々の電荷注入部３ａと放電電極８の間を行単位の放電空間７ａに分割するように配置してもよい。
本実施の形態では、各々の電荷注入部３ａに対応した複数の電子放出部位を有する放電電極８を長方形状の一枚の平板状に形成したが、例えば複数の電子放出部位の一端部を共通電極で接続して櫛型に形成したり、複数の電子放出部位の両端部を共通電極で接続して梯子型等に形成したりできる（例えば、WO２００５／０５６２９７参照）。尚、長方形状や正方形状等の平板状に形成した放電電極８は、電子放出部位以外が共通電極となる。
【０１０６】
実施の形態３における画像形成方法に用いる画像形成装置が、実施の形態１と異なるのは、画像形成装置１５ｂが、印字ヘッド２０の代わりに、放電制御電圧入力用端子９を介して放電電極８に放電制御電圧を印加する放電制御電圧印加部２５と、放電電極８の電子放出部位を選択的に加熱する外部加熱手段３０と、を有する点である。
また、実施の形態３における画像形成方法、実施の形態１と異なるのは、電荷注入工程が、画像形成装置１５ｂの放電制御電圧印加部２５により放電制御電圧入力用端子９を介して放電電極８に放電制御電圧を印加する放電制御電圧印加工程と、画像形成装置１５ｂの外部加熱手段３０により放電電極８の電子放出部位を選択的に加熱する放電電極加熱工程と、画像形成装置１５ｂの媒体側電圧制御部２１から選択された電極端子４ａに正電圧を印加する媒体側電圧制御工程と、を備えている点である。
記録媒体１ｂが放電電極８に接続された放電制御電圧入力用端子９を有するので、画像形成装置１５ｂから放電電極８に対して簡便に放電制御電圧を印加することができ、取扱い性に優れる。
【０１０７】
放電制御電圧印加工程により、放電電極８に放電制御電圧が印加された状態で、放電電極加熱工程により、選択された電荷注入部３ａに対応する放電電極８の電子放出部位を加熱することにより、電荷注入部３ａと放電電極８との間で放電が発生し、電子放出部位から放出された電子が、放電空間７ａ中の酸素や窒素をイオン化し、それらを電荷注入部３ａに到達させることができ、多量のイオンで効率的に電荷を注入することができる。
放電電極加熱工程及び媒体側電圧制御工程により、選択された電荷注入部３ａに接続された下部電極３と、選択された電極端子４ａに接続された上部電極４が交差する位置で放電が発生し、媒体本体２の表裏で生じた電位差に従って画像表示材料２ａが移動して画像が形成される。
【０１０８】
外部加熱手段３０としては、レーザ光を照射する方式や赤外線を照射する方式を用いた。レーザ光を照射する方式としては、具体的には従来の電子写真方式と同様のレーザスキャナユニットを用いた。本実施の形態では、レーザ照射部にポリゴンミラー又はガルバノミラーを組合せて放電電極８に対してレーザ光のみをスキャンさせるものを用いたが、放電電極８に対してレーザ照射部自体をシリアル走査させるものも同様に用いることができる。また、レーザ光や赤外線を光ファイバーや集光レンズで集光して放電電極８に照射してもよい。特に多本数の光ファイバーを高密度かつ高精度に配列した光ファイバーアレイを用いた場合、同時に複数の電子放出部位に対し、レーザ光や赤外線を選択的に照射することができ、高速記録が可能となる。
尚、放電電極８の外部加熱手段３０側にカーボン等を含有する黒色の塗料を塗布したり、クロムを蒸着したりして熱吸収層を形成した場合、外部加熱手段３０から照射される熱を確実に吸収して放電電極８に伝達することができ、放電電極８の加熱の効率性に優れる。
また、その他の外部加熱手段３０として、接触型のサーマルヘッドを使用してもよい。その場合は、ラインヘッドでもよいし、シリアルヘッドをスキャンさせてもよい。
【０１０９】
実施の形態３の画像形成方法は以上のように構成されているので、実施の形態１の（２），（４），（５），（７）の作用に加え、以下の作用を有する。
（１）電荷注入工程が、媒体本体２の画像表示領域ｗ外の領域で下部電極３の端部に形成された電荷注入部３ａに対向して配置され、記録媒体１ｂに一体に形成された放電電極８により行われるので、画像表示領域ｗ外の領域で放電電極８に放電制御電圧を印加し、外部加熱手段３０により放電電極８を選択的に加熱することにより、放電電極８から電荷注入部３ａに対して電子やイオンを照射して電荷を注入することができ、画像表示領域ｗを有効に利用することができる。
（２）下部電極３に対応する電子放出部位を有する放電電極８が、予め電荷注入部３ａに対向し、スペーサ７を介して媒体本体２と一体に形成されているので、画像形成装置１５ｂには外部加熱手段３０のみを設ければよく、画像形成装置１５ｂの小型化、機構の簡素化を図ることができ、画像形成の作業性に優れる。
（３）放電制御電圧印加工程で記録媒体１ｂの放電電極８に放電制御電圧が印加された状態で、放電電極加熱工程において外部加熱手段３０で放電電極８の電子放出部位を選択的に加熱することにより、放電電極８から下部電極３に対して電子やイオンを照射することができ、電荷を注入することができる。
（４）放電電極加熱工程が、放電電極８に対向して配置される外部加熱手段３０により行われることにより、記録媒体１ｂに加熱手段を設ける必要がなく、記録媒体１ｂの取り扱い性に優れる。
【０１１０】
実施の形態３の画像形成方法に用いる画像形成装置は以上のように構成されているので、以下の作用を有する。
（１）記録媒体１ｂの下部電極３に接続された電荷注入部３ａに対向配置された放電電極８に放電制御電圧を印加する放電制御電圧印加部２５と、放電電極８の電子放出部位を選択的に加熱する外部加熱手段３０と、上部電極４への放電電極８から注入される電荷と逆極性の電圧印加を行う媒体側電圧制御部２１と、を有することにより、下部電極３に対応して放電電極８が一体に形成された専用の記録媒体１ｂを用いて高精細な画像を形成することができ、記録媒体１ｂ自身に加熱手段を設ける必要がなく、記録媒体１ｂの取り扱い性に優れる。
【０１１１】
（実施の形態４）
本発明の実施の形態４における画像形成方法及びそれに用いる画像形成装置について、以下図面を参照しながら説明する。尚、実施の形態１乃至３と同様のものには同一の符号を付して説明を省略する。
図７は実施の形態４における画像形成方法に用いる画像形成装置を示す要部模式断面図である。
図７において、実施の形態４における画像形成方法に用いる記録媒体１ｃが、実施の形態３と異なるのは、上部電極４の端部に形成された電荷注入部４ｂ側にも、電荷注入部３ａ側と同様に、スペーサ７、放電空間７ａ、放電電極８、放電制御電圧入力用端子９を備えている点である。
【０１１２】
実施の形態４における画像形成方法に用いる画像形成装置が、実施の形態３と異なるのは、画像形成装置１５ｃが媒体側電圧制御部２１の代わりに、電荷注入部４ｂに対向配置された放電電極８に対し、放電制御電圧入力用端子９を介して、放電制御電圧印加部２５で印加される電圧と逆極性の電圧を印加する放電制御電圧印加部２５ａを有する点と、電荷注入部４ｂに対向配置された放電電極８の電子放出部位を選択的に加熱する外部加熱手段３０ａを有する点である。尚、外部加熱手段３０ａは、外部加熱手段３０と同様のものである。
また、実施の形態４における画像形成方法が、実施の形態３と異なるのは、電荷注入工程が、画像形成装置１５ｃの放電制御電圧印加部２５，２５ａにより放電制御電圧入力用端子９を介して２箇所の放電電極８にそれぞれ放電制御電圧を印加する放電制御電圧印加工程と、画像形成装置１５ｃの外部加熱手段３０，３０ａにより２箇所の放電電極８の電子放出部位をそれぞれ選択的に加熱する放電電極加熱工程と、を有し、放電制御電圧印加工程で２箇所の放電電極８にそれぞれ印加される放電制御電圧の極性が互いに逆極性である点である。
【０１１３】
放電制御電圧印加工程により、２箇所の放電電極８に互いに逆極性の放電制御電圧が印加された状態で、放電電極加熱工程により、選択された電荷注入部３ａ，４ｂに対応する放電電極８の電子放出部位をそれぞれ加熱することにより、電荷注入部３ａと放電電極８との間及び電荷注入部４ｂと放電電極８との間でそれぞれ放電が発生し、電荷注入部３ａに対しては、負の放電制御電圧が印加された放電電極８から負イオンが照射され、電荷注入部４ｂに対しては、正の放電制御電圧が印加された放電電極８から正イオンが照射される。
２箇所の放電電極８に対して放電電極加熱工程を行うことにより、選択された電荷注入部３ａに接続された下部電極３と、選択された電荷注入部４ｂに接続された上部電極４が交差する位置で放電が発生し、媒体本体２の表裏に生じた電位差に従って画像表示材料２ａが移動して画像が形成される。
【０１１４】
実施の形態４の画像形成方法は以上のように構成されているので、実施の形態１の（２）の作用に加え、以下の作用を有する。
（１）放電電極８が下部電極３及び上部電極４に接続された電荷注入部３ａ，４ｂとそれぞれ対向配置され、放電制御電圧印加工程において、下部電極３に接続された電荷注入部３ａと対向配置された放電電極８に印加される放電制御電圧と、上部電極４に接続された電荷注入部４ｂと対向配置された放電電極８に印加される放電制御電圧が、互いに逆極性の電荷を発生させる電圧であることにより、一方の放電電極８からは正イオン、他方の放電電極８からは負イオンが照射され、下部電極３と上部電極４に逆極性の電荷を注入することができ、下部電極３と上部電極４が交差する（重なる）位置に確実に電位差を発生させて画像を形成することができる。
（２）電荷注入工程が、媒体本体２の画像表示領域ｗ外の領域で下部電極３及び上部電極４の端部にそれぞれ形成された電荷注入部３ａ，４ｂに対向して配置され、記録媒体１ｃに一体に形成された放電電極８により行われるので、画像表示領域ｗ外の領域で放電電極８に放電制御電圧を印加し、外部加熱手段３０，３０ａにより放電電極８を選択的に加熱することにより、放電電極８から電荷注入部３ａ，４ｂに対して電子やイオンを照射して電荷を注入することができ、画像表示領域ｗを有効に利用することができる。
（３）下部電極３及び上部電極４に対応する電子放出部位を有する放電電極８が、予め電荷注入部３ａ，４ｂに対向して媒体本体２と一体に形成されているので、画像形成装置１５ｃには放電電極８を加熱する外部加熱手段３０のみを設ければよく、画像形成装置１５ｃの小型化、機構の簡素化を図ることができ、画像形成の作業性に優れる。
（４）放電電極加熱工程が、下部電極３に接続された電荷注入部３ａと対向配置された放電電極８と上部電極４に接続された電荷注入部４ｂと対向配置された放電電極８の間で同期して行われた場合、下部電極３と上部電極４が交差する位置で確実に媒体本体２の表裏に大きな電位差を発生させることができ、高品質な画像を形成することができる。
（５）放電制御電圧印加工程で記録媒体１ｃの放電電極８に放電制御電圧が印加された状態で、放電電極加熱工程において外部加熱手段３０，３０ａで放電電極８の電子放出部位を選択的に加熱することにより、放電電極８から下部電極３及び上部電極４に対して電子やイオンを照射することができ、電荷を注入することができる。
（６）放電電極加熱工程が、放電電極８に対向して配置される外部加熱手段３０，３０ａにより行われることにより、記録媒体１ｃに加熱手段を設ける必要がなく、記録媒体１ｃの取り扱い性に優れる。
【０１１５】
実施の形態４の画像形成方法に用いる画像形成装置は以上のように構成されているので、以下の作用を有する。
（１）下部電極３に接続された電荷注入部３ａと対向配置された放電電極８及び上部電極４に接続された電荷注入部４ｂと対向配置された放電電極８に互いに逆極性の電荷を発生させる放電制御電圧を印加する放電制御電圧印加部２５，２５ａと、それぞれの放電電極８の電子放出部位を選択的に加熱する外部加熱手段３０，３０ａと、を有することにより、下部電極３及び上部電極４に対応して放電電極８が一体に形成された専用の記録媒体１ｃを用いて高精細な画像を形成することができ、記録媒体１ｃに加熱手段を設ける必要がなく、記録媒体１ｃの取り扱い性に優れる。
【０１１６】
（実施の形態５）
本発明の実施の形態５における画像形成方法及びそれに用いる画像形成装置について、以下図面を参照しながら説明する。尚、実施の形態１乃至４と同様のものには同一の符号を付して説明を省略する。
図８は実施の形態５における画像形成方法に用いる画像形成装置を示す要部模式断面図である。
図８において、実施の形態５における記録媒体１ｄが、実施の形態３と異なるのは、放電電極８に覆設された放電電極保護層１０と、放電電極保護層１０に放電電極８の電子放出部位に対応して配設された放電電極加熱部１１と、放電電極加熱部１１に覆設された加熱部保護層１１ａと、を備えている点である。
放電電極保護層１０の材質としては、絶縁性及び放電電極加熱部１１による加熱に耐える耐熱性を有すると共に、放電電極加熱部１１が発する熱を放電電極８に伝達できる熱伝達性を有するものが好適に用いられる。具体的には、ガラスやポリイミド，芳香族ポリアミド，ポリフェニレンオキシド，ポリベンズイミダゾール，ボリフェニルキノキサリン，ポリアリレート，ポリエーテルイミド，ポリエーテルスルフォン，ポリフェニレンサルファイド，ポリエーテルエーテルケトン，アラミド等の合成樹脂等を用いた。
また、放電電極加熱部１１としては、ＴａＳｉＯ2、ＲｕＯ2等で形成された発熱抵抗体を用いた。尚、加熱部保護層１１ａの材質は、放電電極保護層１０と同様である。
【０１１７】
実施の形態５における画像形成方法に用いる画像形成装置が、実施の形態３と異なるのは、画像形成装置１５ｄが外部加熱手段３０を備えていない点であり、実施の形態５における画像形成方法が、実施の形態３と異なるのは、電荷注入工程の放電電極加熱工程が、外部加熱手段３０の代わりに、媒体本体２に一体に形成された放電電極加熱部１１によって行われる点である。尚、放電電極加熱部１１は、画像形成装置１５ｄの加熱部駆動部（図示せず）によって駆動され、放電電極８の任意の電子放出部位を選択的に加熱する。
【０１１８】
実施の形態５の画像形成方法は以上のように構成されているので、実施の形態１の（２），（４），（５），（７）と同様の作用に加え、以下の作用を有する。
（１）電荷注入工程が、媒体本体２の画像表示領域ｗ外の領域で下部電極３の端部に形成された電荷注入部３ａに対向して配置され、記録媒体１ｄに一体に形成された放電電極８により行われるので、画像表示領域ｗ外の領域で放電電極８に放電制御電圧を印加し、放電電極加熱部１１により放電電極８を選択的に加熱することにより、放電電極８から電荷注入部３ａに対して電子やイオンを照射して電荷を注入することができ、画像表示領域ｗを有効に利用することができる。
（２）放電電極加熱工程が、放電電極８と絶縁されて電子放出部位に対応して配設され記録媒体１ｄに一体に形成された放電電極加熱部１１により行われるので、電子やイオンの照射位置精度を向上させることができ、高精細な画像を形成することができる。
（３）放電制御電圧印加工程で記録媒体１ｄの放電電極８に放電制御電圧が印加された状態で、放電電極加熱工程において放電電極加熱部１１で放電電極８の電子放出部位を選択的に加熱することにより、放電電極８から下部電極３に対して電子やイオンを照射することができ、電荷を注入することができる。
（４）記録媒体１ｄが放電電極加熱部１１を有するので、画像形成装置１５ｄには外部加熱手段３０などの加熱手段を設ける必要がなく、画像形成装置１５ｄの小型化、機構の簡素化を図ることができ、画像形成の作業性に優れる。
【０１１９】
実施の形態５の画像形成方法に用いる画像形成装置は以上のように構成されているので、以下の作用を有する。
（１）記録媒体１ｄの下部電極３に接続された電荷注入部３ａに対向配置された放電電極３に放電制御電圧を印加する放電制御電圧印加部２５と、放電電極８に配設された放電電極加熱部１１を駆動する加熱部駆動部と、上部電極４へ放電電極８から注入される電荷と逆極性の電圧印加を行う媒体側電圧制御部２５と、を有することにより、下部電極３に対応して放電電極８及び放電電極加熱部１１が一体に形成された専用の記録媒体１ｄを用いて画像を形成することができ、印字ヘッド２０が不要で画像形成装置１５ｄの小型化、機構の簡素化を図ることができ、電子やイオンの照射位置精度を向上させることができ、高精細な画像を形成することができる。
【０１２０】
（実施の形態６）
本発明の実施の形態６における画像形成方法及びそれに用いる画像形成装置について、以下図面を参照しながら説明する。尚、実施の形態１乃至５と同様のものには同一の符号を付して説明を省略する。
図９は実施の形態６における画像形成方法に用いる画像形成装置を示す要部模式断面図である。
図９において、実施の形態６における画像形成方法に用いる記録媒体１ｅが、実施の形態４と異なるのは、上部電極４の端部に形成された電荷注入部４ｂ側にも、電荷注入部３ａ側と同様に、放電電極８に覆設された放電電極保護層１０と、放電電極保護層１０に放電電極８の電子放出部位に対応して配設された放電電極加熱部１１を備えている点である。
【０１２１】
実施の形態６における画像形成方法に用いる画像形成装置が、実施の形態４と異なるのは、画像形成装置１５ｅが外部加熱手段３０，３０ａを備えていない点であり、実施の形態６における画像形成方法が、実施の形態４と異なるのは、電荷注入工程の放電電極加熱工程が、外部加熱手段３０，３０ａの代わりに、媒体本体２に一体に形成された放電電極加熱部１１によって行われる点である。
【０１２２】
実施の形態６の画像形成方法は以上のように構成されているので、実施の形態１の（２）及び実施の形態４の（１），（４）と同様の作用に加え、以下の作用を有する。
（１）放電電極加熱工程が、放電電極８と絶縁されて電子放出部位に対応して配設され記録媒体１ｅに一体に形成された放電電極加熱部１１により行われるので、電子やイオンの照射位置精度を向上させることができ、高精細な画像を形成することができる。
（２）記録媒体１ｅが放電電極加熱部１１を有するので、画像形成装置１ｅには外部加熱手段３０などの加熱手段を設ける必要がなく、画像形成装置１５ｅの小型化、機構の簡素化を図ることができ、画像形成の作業性に優れる。
【０１２３】
尚、実施の形態１乃至６の画像形成方法に用いる記録媒体１乃至１ｅについて、媒体本体２の画像表示材料２ａとしてマイクロカプセル型の電気泳動方式を用いたものを説明したが、マイクロカプセル型に限らず、水平型や垂直型の電気泳動方式も用いることができる。
また、画像表示材料２ａとして電気泳動方式以外にも、複数の表示原色の内のいずれか一色を選択的に表示可能なツイストボール方式，粉体移動方式等の画像表示材料も用いることができる。
さらに、透過型のネマティック液晶やスメクティック液晶等の液晶材料を用いた液晶方式或いは白色又は黒色を選択的に表示可能なツイストボール方式，粉体移動方式等の画像表示材料も用いることができる。その場合、カラーフィルタやカラー反射層と組み合わせることにより、カラー表示を行うことができる。
尚、実施の形態１乃至６の記録媒体１〜１ｅでは、媒体本体２の表裏に電荷が溜まった状態で保持されるので、電界をかけた状態でのみ配列方向が変化する液晶材料を画像表示材料として用いた場合でも、無電源で画像を表示することができ、画像表示材料の選択の幅を広げることができる。
【産業上の利用可能性】
【０１２４】
本発明は上記課題を解決するもので、電荷の作用により画像の書き込みや消去が可能な媒体本体を挟むように媒体本体の両面に形成される下部電極及び上部電極の少なくともいずれか一方を媒体本体と離間させた記録媒体を用い、下部電極又は上部電極に電子やイオンを照射して電荷を注入することにより、注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができる画像形成方法及びそれに用いる画像形成装置の提供を行って、静電現像方式の記録媒体及びそれを用いる画像形成装置の普及を図ることができる。
【図面の簡単な説明】
【０１２５】
【図１】実施の形態１における画像形成方法に用いる記録媒体を示す部分破断模式斜視図
【図２】実施の形態１における画像形成方法に用いる記録媒体の媒体本体を示す模式平面図
【図３】実施の形態１における画像形成方法に用いる記録媒体を示す模式平面図
【図４】実施の形態１における画像形成方法に用いる画像形成装置を示す要部模式断面図
【図５】実施の形態２における画像形成方法に用いる画像形成装置を示す要部模式断面図
【図６】実施の形態３における画像形成方法に用いる画像形成装置を示す要部模式断面図
【図７】実施の形態４における画像形成方法に用いる画像形成装置を示す要部模式断面図
【図８】実施の形態５における画像形成方法に用いる画像形成装置を示す要部模式断面図
【図９】実施の形態６における画像形成方法に用いる画像形成装置を示す要部模式断面図
【符号の説明】
【０１２６】
１，１ａ，１ｂ，１ｃ，１ｄ，１ｅ  記録媒体
２  媒体本体
２ａ  画像表示材料
２ｂ  カラーフィルタ
３  下部電極
３ａ，４ｂ  電荷注入部
３ｂ  抵抗層
３Ａ  スペーサ
３Ｂ  放電空間
４  上部電極
４ａ  電極端子
５ａ，５ｂ  電極保護層
６  媒体側電圧制御用ＩＣ
７  スペーサ
７ａ  放電空間
８  放電電極
９  放電制御電圧入力用端子
１０  放電電極保護層
１１  放電電極加熱部
１１ａ  加熱部保護層
１５，１５ａ，１５ｂ，１５ｃ，１５ｄ，１５ｅ  画像形成装置
１６  媒体載置部
２０，２０ａ  印字ヘッド
２１  媒体側電圧制御部
２５，２５ａ  放電制御電圧印加部
３０，３０ａ  外部加熱手段
【図１】
2008165075.tif 000003
【図２】
2008165075.tif 000004
【図３】
2008165075.tif 000005
【図４】
2008165075.tif 000006
【図５】
2008165075.tif 000007
【図６】
2008165075.tif 000008
【図７】
2008165075.tif 000009
【図８】
2008165075.tif 000010
【図９】
2008165075.tif 000011